(57)【要約】【課題】速い動きを伴う動画に対する追従視の際に、同時視における立体融合位置に乖離が発生することを抑制する。【解決手段】３Ｄ信号処理部１１４は、視差を有する同時刻の左眼画像、右眼画像を表示する左眼画像信号ＳＬ、右眼画像信号ＳＲの対を、順次生成する。輝度補正部１１５は、３Ｄ信号処理部１１４で得られる左眼画像信号ＳＬおよび右眼画像信号ＳＲの双方またはいずれか一方の輝度値を、連続する各一対の第１の期間および第２の期間で画像表示部に表示される左眼画像および右眼画像の明度が、右眼画像の明度に比べて左眼画像の明度が低くなるように補正する。プルフリッヒ効果に基づき、時間的に先に表示される左眼画像の知覚時間が、時間的に遅く表示される右眼画像の知覚時間より遅くなる。従って、追従視の際に、同時視における立体融合位置に乖離が発生することを抑制でき、観視者に良好な立体画像を知覚させることが可能となる。【選択図】図１
2011239164.tif 000002
【特許請求の範囲】
【請求項１】
画像表示部と、
第１の期間および第２の期間が交互に連続し、該連続する各一対の第１の期間および第２の期間で、それぞれ、上記画像表示部に、視差を有する同時刻の左眼画像および右眼画像の一方の画像および他方の画像を表示する表示制御部と、
上記連続する各一対の第１の期間および第２の期間で上記画像表示部に表示される上記一方の画像および上記他方の画像の明度を、上記他方の画像の明度に比べて上記一方の画像の明度が低くなるように補正する明度補正部と
を備える画像表示装置。
【請求項２】
上記明度補正部は、
上記左眼画像を表示するための左眼画像信号および上記右眼画像を表示するための右眼画像信号の双方またはいずれか一方の輝度値を補正する
請求項１に記載の画像表示装置。
【請求項３】
上記明度補正部は、
上記左眼画像信号の平均輝度値および上記右眼画像信号の平均輝度値を算出する平均輝度値算出部と、
上記平均輝度値算出部で算出された平均輝度値と上記左眼画像および上記右眼画像の表示周期とのいずれかまたは双方に基づいて、上記左眼画像信号および上記右眼画像信号の双方またはいずれか一方の輝度値の補正信号を決定する補正信号決定部と、
上記補正信号決定部で決定された補正信号を用いて、上記左眼画像信号および上記右眼画像信号の双方またはいずれか一方の輝度値を補正する画像信号処理部とを有する
請求項２に記載の画像表示装置。
【請求項４】
上記左眼画像信号に基づいて左眼画像の動き領域を検出すると共に、上記右眼画像信号に基づいて右眼画像の動き領域を検出する動き領域検出部を、さらに備え、
上記左眼画像信号のうち上記動き領域検出部で検出された左眼画像の動き領域に対応した信号および上記右眼画像信号のうち上記動き領域検出部で検出された右眼画像の動き領域に対応した信号の双方またはいずれか一方の輝度値を補正する
請求項２に記載の画像表示装置。
【請求項５】
上記明度補正部は、
上記左眼画像信号のうち上記動き領域に対応した信号の平均輝度値および上記右眼画像信号のうち上記動き領域に対応した信号の平均輝度値を算出する平均輝度値算出部と、
上記平均輝度値算出部で算出された平均輝度値と上記左眼画像および上記右眼画像の表示周期とのいずれかまたは双方に基づいて、上記左眼画像信号のうち上記動き領域に対応した信号および上記右眼画像信号のうち上記動き領域に対応した信号の双方またはいずれか一方の輝度値の補正信号を決定する補正信号決定部と、
上記補正信号決定部で決定された補正信号を用いて、上記左眼画像信号のうち上記動き領域に対応した信号および上記右眼画像信号のうち上記動き領域に対応した信号の双方またはいずれか一方の輝度値を補正する画像信号処理部とを有する
請求項４に記載の画像表示装置。
【請求項６】
上記動き領域検出部は、上記左眼画像の動き領域と共に該左眼画像の動き領域の動き量を検出すると共に、上記右眼画像の動き領域と共に該右眼画像の動き領域の動き量を検出し、
上記補正信号決定部は、上記平均輝度値算出部で算出された平均輝度値と上記左眼画像および上記右眼画像の表示周期とのいずれかまたは双方と共に、さらに、上記動き領域検出部で検出された動き量に基づいて、上記左眼画像信号のうち上記動き領域に対応した信号および上記右眼画像信号のうち上記動き領域に対応した信号の双方またはいずれか一方の輝度値の補正信号を決定する
請求項５に記載の画像表示装置。
【請求項７】
上記明度補正部は、
ユーザ操作に基づいて、上記左眼画像信号および上記右眼画像信号の双方またはいずれか一方の輝度値の補正信号を発生する補正信号発生部と、
上記補正信号発生部で発生された補正信号を用いて、上記左眼画像信号および上記右眼画像信号の双方またはいずれか一方の輝度値を補正する画像信号処理部とを有する
請求項２に記載の画像表示装置。
【請求項８】
上記画像表示部は、液晶表示パネルおよびバックライトにより構成され、
上記明度補正部は、上記左眼画像および上記右眼画像の双方またはいずれか一方が表示されるタイミングで上記バックライトの明るさを補正する
請求項１に記載の画像表示装置。
【請求項９】
上記明度補正部は、
上記左眼画像信号の平均輝度値および上記右眼画像信号の平均輝度値を算出する平均輝度値算出部と、
上記平均輝度値算出部で算出された平均輝度値と表示左眼画像および上記右眼画像の表示周期とのいずれかまたは双方に基づいて、上記左眼画像および上記右眼画像の双方またはいずれか一方の明度の補正信号を決定する補正信号決定部とを有し、
上記補正信号決定部で決定された補正信号を用いて、上記左眼画像および上記右眼画像の双方またはいずれか一方が表示されるタイミングで上記バックライトの明るさを補正する
請求項８に記載の画像表示装置。
【請求項１０】
上記明度補正部は、
ユーザ操作に基づいて、上記左眼画像および上記右眼画像の双方またはいずれか一方の明度の補正信号を発生する補正信号発生部を有し、
上記補正信号発生部で発生された補正信号を用いて、上記左眼画像および上記右眼画像の双方またはいずれか一方が表示されるタイミングで上記バックライトの明るさを補正する
請求項８に記載の画像表示装置。
【請求項１１】
第１の期間および第２の期間が交互に連続し、該連続する各一対の第１の期間および第２の期間で、それぞれ、画像表示部に、視差を有する同時刻の左眼画像および右眼画像の一方の画像および他方の画像を表示する画像表示装置の画像明度補正方法であって、
上記連続する各一対の第１の期間および第２の期間で上記画像表示部に表示される上記一方の画像および上記他方の画像の明度を、上記他方の画像の明度に比べて上記一方の画像の明度が低くなるように補正する
画像表示装置の画像明度補正方法。
【請求項１２】
左眼シャッタと右眼シャッタを有するシャッタメガネ部と、
第１の期間および第２の期間が交互に連続し、該連続する各一対の第１の期間および第２の期間で、それぞれ、画像表示部に、視差を有する同時刻の左眼画像および右眼画像の一方の画像および他方の画像を表示する画像表示装置から送信されてくる上記左眼画像および上記右眼画像の表示タイミングを示すシャッタ制御信号を受信する受信部と、
上記受信部で受信されたシャッタ制御信号に基づいて、上記画像表示部に左眼画像が表示されるタイミングで上記シャッタメガネ部の左眼シャッタを開き、上記画像表示部に右眼画像が表示されるタイミングで上記シャッタメガネ部の右眼シャッタを開くシャッタ駆動部と、
上記連続する各一対の第１の期間および第２の期間で上記画像表示部に表示され、上記シャッタメガネ部を通じて観視される上記一方の画像および上記他方の画像の明度を、上記他方の画像の明度に比べて上記一方の画像の明度が低くなるように補正する明度補正部と
を備えるシャッタメガネ装置。
【請求項１３】
上記受信部は、さらに、上記画像表示装置から送信されてくる上記一方の画像および上記他方の画像の双方またはいずれか一方の明度を補正する補正信号を受信し、
上記明度補正部は、上記受信部で受信された補正信号に基づいて、上記シャッタメガネ部を通じて観視される上記一方の画像および上記他方の画像の双方またはいずれか一方の明度を補正する
請求項１２に記載のシャッタメガネ装置。
【請求項１４】
上記明度補正部は、ユーザ操作に基づいて、上記シャッタメガネ部を通じて観視される上記一方の画像および上記他方の画像の双方またはいずれか一方の明度を補正する
請求項１２に記載のシャッタメガネ装置。
【請求項１５】
上記明度補正部は、上記シャッタメガネ部の左眼シャッタおよび右眼シャッタの双方またはいずれか一方の開いている時間を変更することで、上記一方の画像および上記他方の画像の双方またはいずれか一方の明度を補正する
請求項１３または請求項１４に記載のシャッタメガネ装置。
【請求項１６】
上記明度補正部は、上記シャッタメガネの左眼シャッタおよび右眼シャッタの双方またはいずれか一方の透過率を変更することで、上記一方の画像および上記他方の画像の双方またはいずれか一方の明度を補正する
請求項１３または請求項１４に記載のシャッタメガネ装置。
【請求項１７】
第１の期間および第２の期間が交互に連続し、該連続する各一対の第１の期間および第２の期間で、それぞれ、画像表示部に、視差を有する同時刻の左眼画像および右眼画像の一方の画像および他方の画像を表示する画像表示装置から送信されてくる上記左眼画像および上記右眼画像の表示タイミングを示すシャッタ制御信号に基づいて、上記画像表示部に左眼画像が表示されるタイミングでシャッタメガネ部の左眼シャッタを開き、上記画像表示部に右眼画像が表示されるタイミングで上記シャッタメガネ部の右眼シャッタを開くシャッタメガネ装置の画像明度補正方法であって、
上記連続する各一対の第１の期間および第２の期間で上記画像表示部に表示され、上記シャッタメガネを通じて観視される上記一方の画像および上記他方の画像の明度を、上記他方の画像の明度に比べて上記一方の画像の明度が低くなるように補正する
シャッタメガネ装置の画像明度補正方法。
【発明の詳細な説明】
【技術分野】
【０００１】
この発明は、画像表示装置、画像表示装置の画像明度補正方法、シャッタメガネ装置およびシャッタメガネ装置の画像明度補正方法に関し、特に、観視者に立体画像を知覚させるために視差を有する左眼画像および右眼画像を交互に表示する画像表示装置等に関する。
【背景技術】
【０００２】
従来、観視者に立体画像を知覚させるために視差を有する左眼画像および右眼画像を所定の表示周期で交互に表示し、左眼シャッタおよび右眼シャッタを有するシャッタメガネ装置を通して観視させることで、観視者に立体画像を知覚させることが知られている（例えば、特許文献１、特許文献２、特許文献３参照）。
【０００３】
また、従来、点滅による刺激に対して、明度が高いほど知覚時間が早く、明度が低い程知覚時間が遅いことが知られている（プルフリッヒ効果）。また、従来、このプルフリッヒ効果に基づき、左眼で観視可能な第１の画像と右眼で観視可能な第２の画像との明度を異ならせることで、立体視を可能とすることが知られている（例えば、特許文献４参照）。
【先行技術文献】
【特許文献】
【０００４】
【特許文献１】特開２００９−２３２２４９号公報
【特許文献２】特開２００９−０３１５２３号公報
【特許文献３】特開２００８−２５２７３１号公報
【特許文献４】特開２００４−２２９８８１号公報
【発明の概要】
【発明が解決しようとする課題】
【０００５】
上述したように視差を有する左眼画像および右眼画像を所定の表示周期で交互に表示する立体画像表示装置において、連続する各一対の左眼画像および右眼画像が、同時刻に撮影された画像、もしくは、同時刻の状態を示すＣＧ（Computer Graphics）による画像である場合が考えられる。この場合、左眼画像および右眼画像の観視者への呈示時刻が異なることから、速い動きを伴う動画に対して追従視を行うと、同時視における立体融合位置に乖離が発生し、立体視を阻害する要因となる。
【０００６】
この発明の目的は、速い動きを伴う動画に対する追従視の際に、同時視における立体融合位置に乖離が発生することを抑制することにある。
【課題を解決するための手段】
【０００７】
この発明の概念は、
画像表示部と、
第１の期間および第２の期間が交互に連続し、該連続する各一対の第１の期間および第２の期間で、それぞれ、上記画像表示部に、同時刻の視差を有する左眼画像および右眼画像の一方の画像および他方の画像を表示する表示制御部と、
上記連続する各一対の第１の期間および第２の期間で上記画像表示部に表示される上記一方の画像および上記他方の画像の明度を、上記他方の画像の明度に比べて上記一方の画像の明度が低くなるように補正する明度補正部と
を備える画像表示装置にある。
【０００８】
この発明において、表示制御部により、画像表示部に、左眼画像および右眼画像が交互に表示される。この場合、第１の期間および第２の期間が交互に連続し、連続する各一対の第１の期間および第２の期間で、それぞれ、視差を有する同時刻の左眼画像および右眼画像の一方の画像および他方の画像が表示される。第１、第２の期間は、それぞれ、例えば１フレーム、２フレーム等の所定数のフレーム期間である。
【０００９】
明度補正部により、連続する各一対の第１の期間および第２の期間で画像表示部に表示される一方の画像および他方の画像の明度が、他方の画像の明度に比べて一方の画像の明度が低くなるように補正される。すなわち、時間的に先に表示される一方の画像の明度が、後に表示される他方の画像の明度より低くされる。
【００１０】
この発明において、例えば、明度補正部は、左眼画像を表示するための左眼画像信号および右眼画像を表示するための右眼画像信号の双方またはいずれか一方の輝度値を補正する、ようにされる。
【００１１】
この場合、例えば、明度補正部は、左眼画像信号の平均輝度値および右眼画像信号の平均輝度値を算出する平均輝度値算出部と、この平均輝度値算出部で算出された平均輝度値と左眼画像および右眼画像の表示周期とのいずれかまたは双方に基づいて、左眼画像信号および右眼画像信号の双方またはいずれか一方の輝度値の補正信号を決定する補正信号決定部と、この補正信号決定部で決定された補正信号を用いて、左眼画像信号および右眼画像信号の双方またはいずれか一方の輝度値を補正する画像信号処理部とを有する、ようにされる。
【００１２】
また、この場合、例えば、左眼画像信号に基づいて左眼画像の動き領域を検出すると共に、右眼画像信号に基づいて右眼画像の動き領域を検出する動き領域検出部を、さらに備え、左眼画像信号のうち動き領域検出部で検出された左眼画像の動き領域に対応した信号および右眼画像信号のうち動き領域検出部で検出された右眼画像の動き領域に対応した信号の双方またはいずれか一方の輝度値を補正する、ようにされる。
【００１３】
そして、この場合、例えば、明度補正部は、左眼画像信号のうち動き領域に対応した信号の平均輝度値および右眼画像信号のうち動き領域に対応した信号の平均輝度値を算出する平均輝度値算出部と、平均輝度値算出部で算出された平均輝度値と左眼画像および右眼画像の表示周期とのいずれかまたは双方に基づいて、左眼画像信号のうち動き領域に対応した信号および右眼画像信号のうち動き領域に対応した信号の双方またはいずれか一方の輝度値の補正信号を決定する補正信号決定部と、補正信号決定部で決定された補正信号を用いて、左眼画像信号のうち動き領域に対応した信号および右眼画像信号のうち動き領域に対応した信号の双方またはいずれか一方の輝度値を補正する画像信号処理部とを有する、ようにされる。
【００１４】
さらに、この場合、例えば、動き領域検出部は、左眼画像の動き領域と共にこの左眼画像の動き領域の動き量を検出すると共に、右眼画像の動き領域と共にこの右眼画像の動き領域の動き量を検出し、補正信号決定部は、平均輝度値算出部で算出された平均輝度値と左眼画像および右眼画像の表示周期とのいずれかまたは双方と共に、さらに、動き領域検出部で検出された動き量に基づいて、左眼画像信号のうち動き領域に対応した信号および右眼画像信号のうち動き領域に対応した信号の双方またはいずれか一方の輝度値の補正信号を決定する、ようにされる。
【００１５】
また、この場合、例えば、明度補正部は、ユーザ操作に基づいて、左眼画像信号および右眼画像信号の双方またはいずれか一方の輝度値の補正信号を発生する補正信号発生部と、この補正信号発生部で発生された補正信号を用いて、左眼画像信号および右眼画像信号の双方またはいずれか一方の輝度値を補正する画像信号処理部とを有する、ようにされる。
【００１６】
また、この発明において、例えば、画像表示部は、液晶表示パネルおよびバックライトにより構成され、明度補正部は、左眼画像および右眼画像の双方またはいずれか一方が表示されるタイミングでバックライトの明るさを補正する、ようにされる。
【００１７】
この場合、例えば、明度補正部は、左眼画像信号の平均輝度値および右眼画像信号の平均輝度値を算出する平均輝度値算出部と、この平均輝度値算出部で算出された平均輝度値と左眼画像および右眼画像の表示周期とのいずれかまたは双方に基づいて、左眼画像および右眼画像の双方またはいずれか一方の明度の補正信号を決定する補正信号決定部とを有し、この補正信号決定部で決定された補正信号を用いて、左眼画像および右眼画像の双方またはいずれか一方が表示されるタイミングでバックライトの明るさを補正する、ようにされる。
【００１８】
また、この場合、例えば、ユーザ操作に基づいて、左眼画像および右眼画像の双方またはいずれか一方の明度の補正信号を発生する補正信号発生部を有し、この補正信号発生部で発生された補正信号を用いて、左眼画像および右眼画像の双方またはいずれか一方が表示されるタイミングでバックライトの明るさを補正する、ようにされる。
【００１９】
このように、この発明においては、連続する各一対の第１の期間および第２の期間で画像表示部に表示される一方の画像および他方の画像の明度が、他方の画像の明度に比べて一方の画像の明度が低くなるように補正される。そのため、プルフリッヒ効果に基づき、時間的に先に表示される一方の画像の知覚時間が、時間的に遅く表示される他方の画像の知覚時間より遅くなる。従って、速い動きを伴う動画に対する追従視の際に、同時視における立体融合位置に乖離が発生することを抑制でき、観視者に良好な立体画像を知覚させることが可能となる。また、この場合、動きのある領域（動き領域）の明度のみを補正し、静止している領域（静止領域）の明度は補正しないことで、無用なフリッカの発生を抑制することが可能となる。
【００２０】
また、この発明の他の概念は、
左眼シャッタと右眼シャッタを有するシャッタメガネ部と、
第１の期間および第２の期間が交互に連続し、該連続する各一対の第１の期間および第２の期間で、それぞれ、画像表示部に、視差を有する同時刻の左眼画像および右眼画像の一方の画像および他方の画像を表示する画像表示装置から送信されてくる上記左眼画像および上記右眼画像の表示タイミングを示すシャッタ制御信号を受信する受信部と、
上記受信部で受信されたシャッタ制御信号に基づいて、上記画像表示部に左眼画像が表示されるタイミングで上記シャッタメガネ部の左眼シャッタを開き、上記画像表示部に右眼画像が表示されるタイミングで上記シャッタメガネ部の右眼シャッタを開くシャッタ駆動部と、
上記連続する各一対の第１の期間および第２の期間で上記画像表示部に表示され、上記シャッタメガネ部を通じて観視される上記一方の画像および上記他方の画像の明度を、上記他方の画像の明度に比べて上記一方の画像の明度が低くなるように補正する明度補正部と
を備えるシャッタメガネ装置にある。
【００２１】
この発明においては、受信部により、左眼画像および右眼画像の表示タイミングを示すシャッタ制御信号が受信される。このシャッタ制御信号は、第１の期間および第２の期間が交互に連続し、この連続する各一対の第１の期間および第２の期間で、それぞれ、画像表示部に、視差を有する同時刻の左眼画像および右眼画像の一方の画像および他方の画像が表示される画像表示装置から送信されてくる。第１、第２の期間は、それぞれ、例えば１フレーム、２フレーム等の所定数のフレーム期間である。
【００２２】
シャッタ駆動部により、シャッタ制御信号に基づいて、画像表示部に左眼画像が表示されるタイミングでシャッタメガネ部の左眼シャッタが開かれ、画像表示部に右眼画像が表示されるタイミングでシャッタメガネ部の右眼シャッタが開かれる。これにより、観視者は、シャッタメガネ部が介在されることで、左眼で左眼画像のみの知覚が可能となり、右眼で右眼画像のみの知覚が可能となる。
【００２３】
明度補正部により、連続する各一対の第１の期間および第２の期間で画像表示部に表示され、シャッタメガネ部を通じて観視される一方の画像および他方の画像の明度が、他方の画像の明度に比べて一方の画像の明度が低くなるように補正される。すなわち、時間的に先に表示される一方の画像の明度が、後に表示される他方の画像の明度より低くされる。この明度の補正は、例えば、シャッタメガネ部の左眼シャッタおよび右眼シャッタの双方またはいずれか一方の開いている時間が変更されること、あるいは、シャッタメガネ部の左眼シャッタおよび右眼シャッタの双方またはいずれか一方の透過率が変更されることで行われる。
【００２４】
この発明において、例えば、受信部は、さらに、画像表示装置から送信されてくる一方の画像および他方の画像の双方またはいずれか一方の明度を補正する補正信号を受信し、明度補正部は、受信部で受信された補正信号に基づいて、一方の画像および他方の画像の双方またはいずれか一方の明度を補正する、ようにされる。また、この発明において、例えば、明度補正部は、ユーザ操作に基づいて、一方の画像および他方の画像の双方またはいずれか一方の明度を補正する、ようにされる。
【００２５】
このように、この発明においては、連続する各一対の第１の期間および第２の期間で画像表示部に表示され、シャッタメガネ部を通じて観視される一方の画像および他方の画像の明度が、他方の画像の明度に比べて一方の画像の明度が低くなるように補正される。そのため、プルフリッヒ効果に基づき、時間的に先に表示される一方の画像の知覚時間が、時間的に遅く表示される他方の画像の知覚時間より遅くなる。従って、速い動きを伴う動画に対する追従視の際に、同時視における立体融合位置に乖離が発生することを抑制でき、観視者に良好な立体画像を知覚させることが可能となる。
【発明の効果】
【００２６】
この発明によれば、連続する各一対の第１の期間および第２の期間で画像表示部に表示される一方の画像および他方の画像の明度が、他方の画像の明度に比べて一方の画像の明度が低くなるように補正されるものであり、速い動きを伴う動画に対する追従視の際に、同時視における立体融合位置に乖離が発生することを抑制でき、観視者に良好な立体画像を知覚させることが可能となる。
【図面の簡単な説明】
【００２７】
【図１】この発明の第１の実施の形態としての画像表示観察システムの構成例を示すブロック図である。
【図２】画像表示観察システムの動作を模式的に示す図である。
【図３】テレビ放送信号における立体画像データの伝送方式のうち、「Top & Bottom」方式、「Side By Side」方式、「Frame Sequential」方式を示す図である。
【図４】ＨＤＭＩにおける立体画像データのＴＭＤＳ伝送データ構造（３Ｄ Video Format）のうち、「Frame packing」方式を示す図である。
【図５】画像表示観察システムを構成するシャッタメガネ装置の構成例を示すブロック図である。
【図６】画像表示観察システムを構成する画像表示装置の輝度補正部の構成例を示すブロック図である。
【図７】画像表示観察システムを構成する画像表示装置の輝度補正部の他の構成例を示すブロック図である。
【図８】画像表示観察システムを構成する画像表示装置の輝度補正部の他の構成例を示すブロック図である。
【図９】画像表示観察システムを構成する画像表示装置の輝度補正部の他の構成例を示すブロック図である。
【図１０】画像表示観察システムを構成する画像表示装置の輝度補正部の他の構成例を示すブロック図である。
【図１１】画像表示観察システムを構成する画像表示装置の輝度補正部の他の構成例を示すブロック図である。
【図１２】この発明の第２の実施の形態としての画像表示観察システムの構成例を示すブロック図である。
【図１３】この発明の第３の実施の形態としての画像表示観察システムの構成例を示すブロック図である。
【図１４】この発明の第４の実施の形態としての画像表示観察システムの構成例を示すブロック図である。
【図１５】画像表示観察システムを構成するシャッタメガネ装置の他の構成例を示すブロック図である。
【図１６】画像表示観察システムを構成するシャッタメガネ装置の他の構成例を示すブロック図である。
【発明を実施するための形態】
【００２８】
以下、発明を実施するための形態（以下、「実施の形態」とする）について説明する。なお、説明を以下の順序で行う。
１．第１の実施の形態
２．第２の実施の形態
３．第３の実施の形態
４．第４の実施の形態
５．変形例
【００２９】
＜１．第１の実施の形態＞
［画像表示観察システムの構成例］
図１は、第１の実施の形態としての画像表示観察システム１０の構成例を示している。この画像表示観察システム１０は、画像表示装置１００と、シャッタメガネ装置２００とを備える。画像表示装置１００では、第１の期間および第２の期間が交互に連続し、この連続する各一対の第１の期間および第２の期間で、それぞれ、視差を有する同時刻の左眼画像および右眼画像の一方の画像および他方の画像が表示される。この実施の形態では、例えば、一方の画像は左眼画像とされ、他方の画像は右眼画像とされる。また、第１、第２の期間は、それぞれ、例えば１フレーム、２フレームなどの所定数のフレーム期間である。
【００３０】
図２は、図１に示す画像表示観察システム１０の動作を模式的に示している。シャッタメガネ装置２００では、画像表示装置１００に左眼画像Ｌが表示されるタイミングで左眼シャッタ２００Ｌが開かれ、右眼画像Ｒが表示されるタイミングで右眼シャッタ２００Ｒが開かれる。そのため、観視者は、このシャッタメガネ装置２００を装着することで、左眼で左眼画像Ｌのみの知覚が可能となり、右眼で右眼画像Ｒのみの知覚が可能となる。これにより、観視者は、視差を有する左眼画像Ｌおよび右眼画像Ｒに基づいて、画像を立体的に認識可能となる。
【００３１】
画像表示装置１００の構成について説明する。この画像表示装置１００は、ＣＰＵ１０１と、フラッシュＲＯＭ１０２と、ＤＲＡＭ１０３と、内部バス１０４と、リモコン受信部１０５と、リモコン送信機１０６を有している。また、この画像表示装置１００は、アンテナ端子１１１と、デジタルチューナ１１２と、ビットストリーム処理部１１３と、３Ｄ信号処理部１１４を有している。
【００３２】
また、この画像表示装置１００は、輝度補正部１１５と、映像信号制御部１１６と、ＬＣＤ（Liquid Crystal Display）駆動部１１７と、ＬＣＤパネル１１８と、バックライト１１９を有している。また、この画像表示装置１００は、音声信号処理回路１２０と、音声増幅回路１２１と、スピーカ１２２を有している。また、この画像表示装置１００は、ＨＤＭＩ端子１２３と、ＨＤＭＩ受信部１２４と、シャッタ制御部１２５と、赤外線（ＩＲ）発光部１２６を有している。ＬＣＤパネル１１８およびバックライト１１９は、画像表示部を構成している。
【００３３】
ＣＰＵ１０１は、画像表示装置１００の各部の動作を制御する。フラッシュＲＯＭ１０２は、制御ソフトウェアの格納およびデータの保管を行う。ＤＲＡＭ１０３は、ＣＰＵ１０１のワークエリアを構成する。ＣＰＵ１０１は、フラッシュＲＯＭ１０２から読み出したソフトウェアやデータをＤＲＡＭ１０３上に展開してソフトウェアを起動させ、画像表示装置１００の各部を制御する。
【００３４】
リモコン受信部１０５は、リモコン送信機１０６から送信されたリモートコントロール信号（リモコンコード）を受信し、ＣＰＵ１０１に供給する。ＣＰＵ１０１は、このリモコンコードに基づいて、画像表示装置１００の各部を制御する。ＣＰＵ１０１、フラッシュＲＯＭ１０２およびＤＲＡＭ１０３は、内部バス１０４により、互いに接続されている。
【００３５】
アンテナ端子１１１は、受信アンテナ（図示せず）で受信されたテレビ放送信号を入力する端子である。デジタルチューナ１１２は、アンテナ端子１１１に入力されたテレビ放送信号を処理して、ユーザの選択チャネルに対応した所定のビットストリームデータを出力する。ビットストリーム処理部１１３は、ビットストリームデータから立体画像データ（左眼画像データ、右眼画像データ）、音声データなどを抽出する。
【００３６】
ＨＤＭＩ（High Definition Multimedia Interface）受信部１２４は、ＨＤＭＩに準拠した通信により、ＨＤＭＩ端子１２３に供給される非圧縮の立体画像データおよび音声データを受信する。ＨＤＭＩ端子１２３には、例えば、ディスレコーダ、ディスクプレーヤ、セットトップボックス、ゲーム機などのＨＤＭＩソース機器が、ＨＤＭＩケーブルを介して接続される。画像表示装置１００は、ＨＤＭＩシンク機器である。
【００３７】
３Ｄ信号処理部１１４は、ＨＤＭＩ受信部１２４で受信された立体画像データに対して、伝送方式に対応したデコード処理を行って、左眼画像信号（左眼画像データ）ＳＬおよび右眼画像信号（右眼画像データ）ＳＲを生成する。あるいは、この３Ｄ信号処理部は、ビットストリーム処理部１１３で得られた立体画像データに対して、伝送方式に対応したデコード処理を行って、左眼画像信号（左眼画像データ）ＳＬおよび右眼画像信号（右眼画像データ）ＳＲを生成する。この場合、３Ｄ信号処理部１１４は、視差を有する同時刻（同一タイミング）の左眼画像および右眼画像を表示する左眼画像信号ＳＬおよび右眼画像信号ＳＲの対を、順次生成する。
【００３８】
例えば、各対の左眼画像信号ＳＬおよび右眼画像信号ＳＲは、左眼画像および右眼画像を同じタイミングで撮影して得られたものである。また、例えば、各対の左眼画像信号ＳＬおよび右眼画像信号ＳＲは、ゲーム機において、同時刻（同一タイミング）となるように生成されたものである。
【００３９】
テレビ放送信号における立体画像データの伝送方式には、例えば、「Top & Bottom」方式、「Side By Side」方式、「Frame Sequential」方式などがある。図３（ａ）は、「Top &Bottom」方式を示している。この方式は、垂直方向の前半では左眼画像データの各ラインのデータを伝送し、垂直方向の後半では左眼画像データの各ラインのデータを伝送する方式である。左眼画像データおよび右眼画像データのラインが１／２に間引かれることから原信号に対して垂直解像度は半分となる。
【００４０】
図３（ｂ）は、「Side By Side」方式を示している。この方式は、水平方向の前半では左眼画像データのピクセルデータを伝送し、水平方向の後半では右眼画像データのピクセルデータを伝送する方式である。左眼画像データおよび右眼画像データは、それぞれ、水平方向のピクセルデータが１／２に間引かれる。現信号に対して、水平解像度は半分となる。図３（ｃ）は、「Frame Sequential」方式を示している。この方式は、左眼画像データと右眼画像データとをフィールド毎に順次切換えて伝送する方式である。
【００４１】
また、ＨＤＭＩにおける立体画像データのＴＭＤＳ伝送データ構造（３Ｄ Video Format）には、例えば、「Frame packing」方式、「Line alternative」方式、「Side-by-Side」方式などがある。図４は、「Frame packing」方式を示している。
【００４２】
輝度補正部１１５は、３Ｄ信号処理部１１４で得られる左眼画像信号ＳＬおよび右眼画像信号ＳＲの双方またはいずれか一方の輝度値を補正する。この輝度補正部１１５は、画像信号の輝度値を補正することで、上述したように連続する各一対の第１の期間および第２の期間で画像表示部に表示される左眼画像および右眼画像の明度を、右眼画像の明度に比べて左眼画像の明度が低くなるように補正する。この輝度補正部１１５の詳細については後述する。
【００４３】
映像信号制御部１１６は、画像表示部（ＬＣＤパネル１１８）に、左眼画像Ｌおよび右眼画像Ｒを所定数のフレーム毎に交互に表示させるため、左眼画像信号および右眼画像信号を、ＬＣＤ駆動部１１７に、所定数のフレームずつ交互に出力する。ここで、所定数のフレームとは、例えば、１フレーム、２フレーム等である。ＬＣＤ駆動部１１７は、映像信号制御部１１６からの左眼画像信号および右眼画像信号に基づいて、ＬＣＤパネル１１８を駆動する。そして、このＬＣＤ駆動部１１７は、ＬＣＤパネル１１８とバックライト１１９とからなる画像表示部に、左眼画像Ｌおよび右眼画像Ｒを所定数のフレーム毎に交互に表示させる。
【００４４】
音声信号処理回路１２０は、ＨＤＭＩ受信部１２４で受信された、あるいはビットストリーム処理部１１３で得られた音声データに対してＤ／Ａ変換等の必要な処理を行う。音声増幅回路１２１は、音声信号処理回路１２０から出力される音声信号を増幅してスピーカ１２２に供給する。
【００４５】
シャッタ制御部１２５は、映像信号制御部１１６から供給される左眼画像および右眼画像の表示タイミングを示すタイミング信号に基づいて、駆動信号を赤外線発光部１２６に送る。赤外線発光部１２６は、駆動信号に応じて発光し、左眼画像および右眼画像の表示タイミングを示すシャッタ制御信号Ｃshを、赤外線信号として、出力する。
【００４６】
画像表示装置１００の動作を説明する。アンテナ端子１１１に入力されたテレビ放送信号はデジタルチューナ１１２に供給される。このデジタルチューナ１１２では、テレビ放送信号が処理されて、ユーザの選択チャネルに対応した所定のビットストリームデータが得られる。
【００４７】
デジタルチューナ１１２から出力されるビットストリームデータは、ビットストリーム処理部１１３に供給される。このビットストリーム処理部１１３では、ビットストリームデータから立体画像データ（左眼画像データ、右眼画像データ）、音声データなどが抽出される。ビットストリーム処理部１１３で抽出される立体画像データは、３Ｄ信号処理部１１４に供給される。また、ビットストリーム処理部１１３で抽出される音声データは、音声信号処理回路１２０に供給される。
【００４８】
また、ＨＤＭＩ受信部１２４では、ＨＤＭＩ端子１２３に図示しないＨＤＭＩソース機器から送信されてくる、立体画像データおよび音声データが受信される。このＨＤＭＩ受信部１２４で受信された立体画像データは、３Ｄ信号処理部１１４に供給される。また、このＨＤＭＩ受信部１２４で受信された音声データは、音声信号処理回路１２０に供給される。
【００４９】
３Ｄ信号処理部１１４では、ビットストリーム処理部１１３で得られた、あるいはＨＤＭＩ受信部１２４で受信された立体画像データに対して、伝送方式に対応した処理（デコード処理）が行われて、左眼画像信号ＳＬおよび右眼画像信号ＳＲが生成される。この場合、視差を有する同時刻（同一タイミング）の左眼画像および右眼画像を表示する左眼画像信号ＳＬおよび右眼画像信号ＳＲの対が、順次生成される。この左眼画像信号ＳＬおよび右眼画像信号ＳＲの各対は、輝度補正部１１５に、順次供給される。
【００５０】
輝度補正部１１５では、３Ｄ信号処理部１１４で得られる左眼画像信号ＳＬおよび右眼画像信号ＳＲの双方またはいずれか一方の輝度値が補正される。この場合、上述したように連続する各一対の第１の期間および第２の期間で画像表示部に表示される左眼画像および右眼画像の明度が、右眼画像の明度に比べて左眼画像の明度が低くなるように補正される。この輝度値補正後の左眼画像信号および右眼画像信号は、映像信号制御部１１６に供給される。
【００５１】
映像信号制御部１１６では、画像表示部（ＬＣＤパネル１１８）に、左眼画像Ｌおよび右眼画像Ｒを所定数のフレーム毎に交互に表示させるため、左眼画像信号および右眼画像信号を、ＬＣＤ駆動部１１７に、所定数のフレームずつ交互に出力することが行われる。そして、ＬＣＤ駆動部１１７により、映像信号制御部１１６からの左眼画像信号および右眼画像信号に基づいて、ＬＣＤパネル１１８が駆動され、画像表示部に、左眼画像Ｌおよび右眼画像Ｒが所定数のフレーム毎に交互に表示される。
【００５２】
また、音声信号処理回路１２０では、ビットストリーム処理部１１３で得られた、あるいはＨＤＭＩ受信部１２４で受信された音声データに対して、Ｄ／Ａ変換等の必要な処理が施される。この音声データは、音声増幅回路１２１で増幅された後に、スピーカ１２２に供給される。そのため、スピーカ１２２から、画像表示部に表示される画像に対応した音声が出力される。
【００５３】
また、映像信号制御部１１６からシャッタ制御部１２５に、左眼画像および右眼画像の表示タイミングを示すタイミング信号が供給される。シャッタ制御部１２５では、このタイミング信号に基づいて、赤外線発光部１２６に駆動信号が送られる。赤外線発光部１２６では、駆動信号に応じて発光動作が行われ、左眼画像および右眼画像の表示タイミングを示すシャッタ制御信号Ｃshが赤外線信号として出力される。これにより、シャッタ制御信号（赤外線信号）Ｃshがシャッタメガネ装置２００に送られる。
【００５４】
シャッタメガネ装置２００の構成について説明する。図５は、シャッタメガネ装置２００の構成例を示している。このシャッタメガネ装置２００は、左眼シャッタ２００Ｌおよび右眼シャッタ２００Ｒを含むシャッタメガネ部２０１と、赤外線受光部２０２と、シャッタ駆動部２０３を有している。赤外線受光部２０２は、受信部を構成している。
【００５５】
左眼シャッタ２００Ｌおよび右眼シャッタ２００Ｒは、例えば、液晶シャッタで構成される。赤外線受光部２０２は、画像表示装置１００から送信される、左眼画像および右眼画像の表示タイミングを示すシャッタ制御信号（赤外線信号）Ｃshを受信する。シャッタ駆動部２０３は、赤外線受光部２０２で受信されたシャッタ制御信号Ｃshに基づいて、シャッタメガネ部２０１の左眼シャッタ２００Ｌおよび右眼シャッタ２００Ｒを駆動する。
【００５６】
すなわち、シャッタ駆動部２０３は、画像表示装置１００の画像表示部（ＬＣＤパネル１１８）に左眼画像Ｌが表示されるタイミングで、左眼シャッタ２００Ｌを開く。また、シャッタ駆動部２０３は、画像表示装置１００の画像表示部（ＬＣＤパネル１１８）に右眼画像Ｒが表示されるタイミングで、右眼シャッタ２００Ｒを開く。
【００５７】
シャッタメガネ装置２００の動作を説明する。赤外線受光部２０２では、画像表示装置１００から送られてくる、左眼画像および右眼画像の表示タイミングを示すシャッタ制御信号（赤外線信号）Ｃshが受信される。このシャッタ制御信号Ｃshは、シャッタ駆動部２０３に供給される。
【００５８】
シャッタ駆動部２０３では、シャッタ制御信号Ｃshに基づいて、シャッタメガネ部２０１を構成する左眼シャッタ２００Ｌおよび右眼シャッタ２００Ｒを駆動することが行われる。この場合、画像表示装置１００の画像表示部（ＬＣＤパネル１１８）に左眼画像Ｌが表示されるタイミングで、左眼シャッタ２００Ｌが開かれる。また、画像表示装置１００の画像表示部（ＬＣＤパネル１１８）に右眼画像Ｒが表示されるタイミングで、右眼シャッタ２００Ｒが開かれる。
【００５９】
このようにシャッタメガネ装置２００が動作することで、このシャッタメガネ装置２００を装着した観視者は、左眼で左眼画像Ｌのみの知覚が可能となり、右眼で右眼画像Ｒのみの知覚が可能となる（図２参照）。そのため、観視者は、視差を有する左眼画像Ｌおよび右眼画像Ｒに基づいて、画像を立体的に認識可能となる。
【００６０】
［輝度補正部の構成例］
図１に示す画像表示装置１００の輝度補正部１１５の詳細を説明する。図６は、輝度補正部１１５の構成例を示している。この輝度補正部１１５は、ＡＰＬ（Average Picture Level：平均輝度値）算出部１３１Ｌ，１３１Ｒと、補正係数決定部１３２と、乗算部１３３Ｌ，１３３Ｒを有している。ここで、補正係数決定部１３２は補正信号決定部を構成し、乗算部１３３Ｌ，１３３Ｒは画像処理部を構成している。
【００６１】
ＡＰＬ算出部１３１Ｌは、３Ｄ信号処理部（図１参照）から供給される左眼画像信号ＳＬに基づいて、フレーム毎に、平均輝度値（ＡＰＬ）Ｌavを算出する。また、ＡＰＬ算出部１３１Ｒは、３Ｄ信号処理部（図１参照）から供給される右眼画像信号ＳＲに基づいて、フレーム毎に、平均輝度値（ＡＰＬ）Ｒavを算出する。
【００６２】
例えば、画像信号ＳＬ，ＳＲが３原色信号からなる場合、ＡＰＬ算出部１３１Ｌ，１３１Ｒは、画素毎に３原色信号から輝度信号を求め、各画素の輝度信号の値（輝度値）から平均輝度値（ＡＰＬ）を求める。また、例えば、画像信号ＳＬ，ＳＲが輝度信号および色差信号からなる場合、ＡＰＬ算出部１３１Ｌ，１３１Ｒは、画素毎の輝度信号の値（輝度値）から平均輝度値（ＡＰＬ）を求める。
【００６３】
なお、ＡＰＬ算出部１３１Ｌ，１３１Ｒは、平均輝度値を求める際に、輝度値がピーク値にある画素を除くようにしてもよい。例えば、２台のカメラを使用して左眼画像、右眼画像をそれぞれ撮影する場合、片側だけにせん光が入ることがあるが、輝度値がピーク値にある画素を除いて平均輝度値を求めることで、その影響を抑制できる。
【００６４】
補正係数決定部１３２は、ＡＰＬ算出部１３１Ｌ，１３１Ｒで算出された平均輝度値Ｌav，Ｒav、および表示周波数のいずれかまたは双方に基づいて、左眼画像信号ＳＬおよび右眼画像信号ＳＲの輝度値の補正係数ＡＬ，ＡＲを決定する。ここで、表示周期は、左眼画像および右眼画像の表示周期であり、例えば、１／３０秒、１／６０秒、１／１２０秒などである。平均輝度値Ｌav，Ｒavの値の大きさにより、同一の輝度値の差を与えるための補正係数ＡＬ，ＡＲの差は異なってくる。また、表示周期により、同一時刻に呈示されるべき左眼画像および右眼画像の実際の呈示時刻のずれがわかる。補正係数決定部１３２は、例えば、以下の工程で、補正係数ＡＬ，ＡＲを決定する。
【００６５】
まず、補正係数決定部１３２は、ＡＰＬ算出部１３１Ｌ，１３１Ｒで算出された平均輝度値Ｌav，Ｒavに基づいて、それぞれの平均輝度値Ｌav，Ｒavを等しくするための補正係数ＡＬ１，ＡＲ１を決定する。次に、補正係数決定部１３２は、連続する各一対の第１の期間および第２の期間で画像表示部に表示される左眼画像および右眼画像の明度を、右眼画像の明度に比べて左眼画像の明度が低くなるように補正するための補正係数ＡＬ２，ＡＲ２を決定する。この場合、補正係数決定部１３２は、ＡＰＬ算出部１３１Ｌ，１３１Ｒで算出された平均輝度値Ｌav，Ｒav、および表示周期のいずれかまたは双方に基づいて、補正係数ＡＬ２，ＡＲ２を決定する。
【００６６】
この場合、補正係数決定部１３２は、先に表示される左眼画像Ｌの明度と後に表示される右眼画像Ｒとの間に、観視者がほぼ同じタイミングで知覚する程度の明度差が付くように、補正係数ＡＬ２，ＡＲ２を決定する。この場合の補正係数ＡＬ２，ＡＲ２は、ＡＬ２＜ＡＲ２の関係になる。
【００６７】
補正係数決定部１３２は、最終的に、補正係数ＡＬをＡＬ１×ＡＬ２に決定し、補正係数ＡＲをＡＲ１×ＡＲ２に決定する。なお、３Ｄ信号処理部１１４から出力される画像信号ＳＬ，ＳＲの平均輝度値Ｌav，Ｒavが同じであることが保証されていれば、平均輝度値Ｌav，Ｒavを等しくするための補正係数ＡＬ１，ＡＲ１を決定する工程は不要となる。この場合、補正係数決定部１３２は、補正係数ＡＬをＡＬ２に決定し、補正係数ＡＲをＡＲ２に決定する。
【００６８】
乗算部１３３Ｌは、補正係数決定部１３２で決定された補正係数ＡＬを左眼画像信号ＳＬに乗算して、この左眼画像信号ＳＬの輝度値を補正し、補正後の左眼画像信号ＳＬcを出力する。また、乗算部１３３Ｒは、補正係数決定部１３２で決定された補正係数ＡＲを右眼画像信号ＳＲに乗算して、この右眼画像信号ＳＲの輝度値を補正し、補正後の右眼画像信号ＳＲcを出力する。
【００６９】
図６に示す輝度補正部１１５の動作を説明する。３Ｄ信号処理部（図１参照）から出力される左眼画像信号ＳＬはＡＰＬ算出部１３１Ｌに供給される。このＡＰＬ算出部１３１Ｌでは、左眼画像信号ＳＬに基づいて、フレーム毎に、平均輝度値（ＡＰＬ）Ｌavが算出される。このようにＡＰＬ算出部１３１Ｌで算出される平均輝度値Ｌavは補正係数決定部１３２に供給される。
【００７０】
また、３Ｄ信号処理部（図１参照）から出力される右眼画像信号ＳＲはＡＰＬ算出部１３１Ｒに供給される。このＡＰＬ算出部１３１Ｒでは、右眼画像信号ＳＲに基づいて、フレーム毎に、平均輝度値（ＡＰＬ）Ｒavが算出される。このようにＡＰＬ算出部１３１Ｒで算出される平均輝度値Ｒavは補正係数決定部１３２に供給される。
【００７１】
補正係数決定部１３２では、ＡＰＬ算出部１３１Ｌ，１３１Ｒからの平均輝度値Ｌav，Ｒav、および表示周期のいずれかまたは双方に基づいて、左眼画像信号ＳＬおよび右眼画像信号ＳＲの輝度値の補正係数ＡＬ，ＡＲが決定される。この場合、連続する各一対の第１の期間および第２の期間で画像表示部に表示される左眼画像および右眼画像の明度を、右眼画像の明度に比べて左眼画像の明度が低くなるように補正するための補正係数ＡＬ２，ＡＲ２が決定される。また、この場合、先に表示される左眼画像Ｌの明度と後に表示される右眼画像Ｒとの間に、観視者がほぼ同じタイミングで知覚する程度の明度差が付くように、補正係数ＡＬ２，ＡＲ２が決定される。
【００７２】
また、３Ｄ信号処理部１１４（図１参照）から出力される左眼画像信号ＳＬは、乗算部１３３Ｌに供給される。この乗算部１３３Ｌには、補正係数決定部１３２で決定された補正係数ＡＬが供給される。そして、この乗算部１３３Ｌでは、補正係数ＡＬが左眼画像信号ＳＬに乗算されて、左眼画像信号ＳＬの輝度値が補正され、補正後の左眼画像信号ＳＬcが出力される。
【００７３】
また、３Ｄ信号処理部１１４（図１参照）から出力される右眼画像信号ＳＲは、乗算部１３３Ｒに供給される。この乗算部１３３Ｒには、補正係数決定部１３２で決定された補正係数ＡＲが供給される。そして、この乗算部１３３Ｒでは、補正係数ＡＲが右眼画像信号ＳＲに乗算されて、右眼画像信号ＳＲの輝度値が補正され、補正後の右眼画像信号ＳＲcが出力される。
【００７４】
図６に示す輝度補正部１１５では、ＡＰＬ算出部１３１Ｌ，１３１Ｒで算出された平均輝度値Ｌav，Ｒav、および表示周期のいずれかまたは双方に基づいて、画像信号ＳＬ，ＳＲの輝度値の補正係数ＡＬ，ＡＲが自動的に決定される。そのため、観視者を煩わせることなく、左眼画像信号ＳＬおよび右眼画像信号ＳＲの輝度値を適切に補正できる。
【００７５】
［輝度補正部の他の構成例］
図６に示す輝度補正部１１５は、補正係数決定部１３２で補正係数ＡＬ，ＡＲを決定し、左眼画像信号ＳＬおよび右眼画像信号ＳＲの双方の輝度値を補正するものである。しかし、左眼画像信号ＳＬおよび右眼画像信号ＳＲのいずれか一方の輝度値のみを補正する構成とすることもできる。
【００７６】
図７は、輝度補正部１１５Ａの構成例を示している。この図７において、図６と対応する部分には同一符号を付し、その詳細説明は省略する。この輝度補正部１１５Ａは、ＡＰＬ算出部１３１Ｌ，１３１Ｒと、補正係数決定部１３２Ａと、乗算部１３３Ｌを有している。ここで、補正係数決定部１３２Ａは補正信号決定部を構成し、乗算部１３３Ｌは画像処理部を構成している。
【００７７】
補正係数決定部１３２Ａは、ＡＰＬ算出部１３１Ｌ，１３１Ｒで算出された平均輝度値Ｌav，Ｒav、および表示周期のいずれかまたは双方に基づいて、左眼画像信号ＳＬの輝度値の補正係数ＡＬを決定する。この補正係数決定部１３２Ａは、基本的に、図６に示す輝度補正部１１５の補正係数決定部１３２と同様の工程で補正係数ＡＬを決定する。この補正係数決定部１３２Ａは、例えば、以下の工程で、補正係数ＡＬを決定する。
【００７８】
まず、補正係数決定部１３２Ａは、ＡＰＬ算出部１３１Ｌ，１３１Ｒで算出された平均輝度値Ｌav，Ｒavに基づいて、それぞれの平均輝度値Ｌav，Ｒavを等しくするための補正係数ＡＬ１，ＡＲ１を決定する。この場合、補正係数ＡＲ１が１となるように、補正係数ＡＬ１を決定する。
【００７９】
次に、補正係数決定部１３２Ａは、連続する各一対の第１の期間および第２の期間で画像表示部に表示される左眼画像および右眼画像の明度を、右眼画像の明度に比べて左眼画像の明度が低くなるように補正するための補正係数ＡＬ２，ＡＲ２を決定する。この場合、補正係数決定部１３２Ａは、ＡＰＬ算出部１３１Ｌ，１３１Ｒで算出された平均輝度値Ｌav，Ｒav、および表示周波数のいずれかまたは双方に基づいて、補正係数ＡＬ２，ＡＲ２を決定する。この場合、補正係数ＡＲ２が１となるように、補正係数ＡＬ２を決定する。この場合の補正係数ＡＬ２，ＡＲ２は、ＡＬ２＜ＡＲ２＝１の関係になる。
【００８０】
そして、補正係数決定部１３２Ａは、最終的に、補正係数ＡＬをＡＬ１×ＡＬ２に決定する。なお、３Ｄ信号処理部１１４から出力される画像信号ＳＬ，ＳＲの平均輝度値Ｌav，Ｒavが同じであることが保証されていれば、平均輝度値Ｌav，Ｒavを等しくするための補正係数ＡＬ１，ＡＲ１を決定する工程は不要となる。この場合、補正係数決定部１３２Ａは、補正係数ＡＬをＡＬ２に決定する。
【００８１】
乗算部１３３Ｌは、補正係数決定部１３２Ａで発生された補正係数ＡＬを左眼画像信号ＳＬに乗算して、この左眼画像信号ＳＬの輝度値を補正し、補正後の左眼画像信号ＳＬcを出力する。
【００８２】
図７に示す輝度補正部１１５Ａの動作を説明する。３Ｄ信号処理部（図１参照）から出力される左眼画像信号ＳＬはＡＰＬ算出部１３１Ｌに供給される。このＡＰＬ算出部１３１Ｌでは、左眼画像信号ＳＬに基づいて、フレーム毎に、平均輝度値（ＡＰＬ）Ｌavが算出される。このようにＡＰＬ算出部１３１Ｌで算出される平均輝度値Ｌavは補正係数決定部１３２Ａに供給される。
【００８３】
また、３Ｄ信号処理部（図１参照）から出力される右眼画像信号ＳＲはＡＰＬ算出部１３１Ｒに供給される。このＡＰＬ算出部１３１Ｒでは、右眼画像信号ＳＲに基づいて、フレーム毎に、平均輝度値（ＡＰＬ）Ｒavが算出される。このようにＡＰＬ算出部１３１Ｒで算出される平均輝度値Ｒavは補正係数決定部１３２Ａに供給される。
【００８４】
補正係数決定部１３２Ａでは、ＡＰＬ算出部１３１Ｌ，１３１Ｒからの平均輝度値Ｌav，Ｒav、および表示周期のいずれかまたは双方に基づいて、左眼画像信号ＳＬの輝度値の補正係数ＡＬが決定される。この場合、連続する各一対の第１の期間および第２の期間で画像表示部に表示される左眼画像および右眼画像の明度を、右眼画像の明度に比べて左眼画像の明度が低くなるように補正するための補正係数ＡＬが決定される。また、この場合、先に表示される左眼画像Ｌの明度と後に表示される右眼画像Ｒとの間に、観視者がほぼ同じタイミングで知覚する程度の明度差が付くように、補正係数ＡＬが決定される。
【００８５】
また、３Ｄ信号処理部１１４（図１参照）から出力される左眼画像信号ＳＬは、乗算部１３３Ｌに供給される。この乗算部１３３Ｌには、補正係数決定部１３２Ａで決定された補正係数ＡＬが供給される。そして、この乗算部１３３Ｌでは、補正係数ＡＬが左眼画像信号ＳＬに乗算されて、左眼画像信号ＳＬの輝度値が補正され、補正後の左眼画像信号ＳＬcが出力される。
【００８６】
また、３Ｄ信号処理部１１４（図１参照）から出力される右眼画像信号ＳＲは、そのまま、輝度補正部１１５Ａから出力される。上述したように、補正係数決定部１３２Ａでは、ＡＲ１＝１、ＡＲ２＝１と決定されていくので、右眼画像信号ＳＲに関しては、補正係数ＡＲを乗算して、その輝度値を補正する必要はない。
【００８７】
なお、図７に示す輝度補正部１１５Ａは、左眼画像信号ＳＬの輝度値のみを補正する構成としたものであるが、詳細説明は省略するが、右眼画像信号ＳＲの輝度値のみを補正する構成も同様に実現できる。
【００８８】
［輝度補正部の他の構成例］
図８は、輝度補正部１１５Ｄの構成例を示している。この図８において、図６と対応する部分には同一符号を付し、適宜、その詳細説明は省略する。この輝度補正部１１５Ｄは、ＡＰＬ算出部１３１Ｌｄ，１３２Ｒｄと、補正係数決定部１３２Ｄと、乗算部１３３Ｌ，１３３Ｒと、動き領域検出部１３４Ｌ，１３４Ｒを有している。
【００８９】
動き領域検出部１３４Ｌは、３Ｄ信号処理部１１４（図１参照）から供給される左眼画像信号ＳＬに基づいて、フレーム毎に、左眼画像の動き領域を検出する。動き領域検出部１３４Ｌは、例えば、ブロックマッチング法などによって画素毎に動き量を求めて動き領域に属しているか否かの判断を行うことで、左眼画像の動き領域を検出する。この動き量領域検出部１３４Ｌは、左眼画像の動き領域を示す信号（動き領域信号）を出力する。
【００９０】
なお、動き領域検出部１３４Ｌは、動き領域を示す信号（動き領域信号）と共に、この動き領域の動き量を示す信号（動き量信号）を出力してもよい。動き量領域検出部１３４Ｌは、例えば、動き領域に属する各画素の動き量の平均値、あるいは，動き領域に属する各画素の動き量の最大値を、動き領域の動き量とする。
【００９１】
また、動き領域検出部１３４Ｒは、３Ｄ信号処理部１１４（図１参照）から供給される右眼画像信号ＳＲに基づいて、フレーム毎に、右眼画像の動き領域を検出する。動き領域検出部１３４Ｒは、例えば、ブロックマッチング法などによって画素毎に動き量を求めて動き領域に属しているか否かの判断を行うことで、左眼画像の動き領域を検出する。この動き量領域検出部１３４Ｒは、右眼画像の動き領域を示す信号（動き領域信号）を出力する。
【００９２】
なお、動き領域検出部１３４Ｒは、動き領域を示す信号（動き領域信号）と共に、この動き領域の動き量を示す信号（動き量信号）を出力してもよい。動き量領域検出部１３４Ｒは、例えば、動き領域に属する各画素の動き量の平均値、あるいは，動き領域に属する各画素の動き量の最大値を、動き領域の動き量とする。
【００９３】
ＡＰＬ算出部１３１Ｌｄは、３Ｄ信号処理部１１４（図１参照）から供給される左眼画像信号ＳＬおよび動き領域検出部１３４Ｌから供給される動き領域信号に基づいて、フレーム毎に、左眼画像の動き領域の平均輝度値（ＡＰＬ）Ｌavdを算出する。また、ＡＰＬ算出部１３１Ｒｄは、３Ｄ信号処理部１１４（図１参照）から供給される右眼画像信号ＳＲおよび動き領域検出部１３４Ｒから供給される動き領域信号に基づいて、フレーム毎に、右眼画像の動き領域の平均輝度値（ＡＰＬ）Ｒavdを算出する。
【００９４】
補正係数決定部１３２Ｄは、ＡＰＬ算出部１３１Ｌｄ，１３１Ｒｄで算出された平均輝度値Ｌavd，Ｒavd、および表示周期のいずれかまたは双方に基づいて、左眼画像信号ＳＬおよび右眼画像信号ＳＲの輝度値の補正係数ＡＬ，ＡＲを決定する。補正係数決定部１３２Ｄは、例えば、以下の工程で、補正係数ＡＬ，ＡＲを決定する。補正係数決定部１３２Ｄは、表示周期により、同一時刻に提示呈示されるべき左眼画像および右眼画像の、実際の呈示時刻のずれを認識する。
【００９５】
まず、補正係数決定部１３２Ｄは、ＡＰＬ算出部１３１Ｌｄ，１３１Ｒｄで算出された平均輝度値Ｌavd，Ｒavdに基づいて、それぞれの平均輝度値Ｌavd，Ｒavdを等しくするための補正係数ＡＬｄ１，ＡＲｄ１を決定する。次に、補正係数決定部１３２Ｄは、連続する各一対の第１の期間および第２の期間で画像表示部に表示される左眼画像（動き領域）および右眼画像（動き領域）の明度を、右眼画像（動き領域）の明度に比べて左眼画像（動き領域）の明度が低くなるように補正する補正係数ＡＬｄ２，ＡＲｄ２を決定する。この場合、補正係数決定部１３２Ｄは、ＡＰＬ算出部１３１Ｌｄ，１３１Ｒｄで算出された平均輝度値Ｌavd，Ｒavd、および表示周期のいずれかまたは双方に基づいて、補正係数ＡＬｄ２，ＡＲｄ２を決定する。
【００９６】
この場合、補正係数決定部１３２Ｄは、先に表示される左眼画像（動き領域）の明度と後に表示される右眼画像（動き領域）との間に、観視者がほぼ同じタイミングで知覚する程度の明度差が付くように、補正係数ＡＬｄ２，ＡＲｄ２を決定する。この場合の補正係数ＡＬｄ２，ＡＲｄ２は、ＡＬｄ２＜ＡＲｄ２の関係になる。
【００９７】
補正係数決定部１３２Ｄは、最終的に、補正係数ＡＬをＡＬｄ１×ＡＬｄ２に決定し、補正係数ＡＲをＡＲｄ１×ＡＲｄ２に決定する。なお、３Ｄ信号処理部１１４から出力される画像信号ＳＬ，ＳＲの平均輝度値Ｌavd，Ｒavdが同じであることが保証されていれば、平均輝度値Ｌavd，Ｒavdを等しくするための補正係数ＡＬｄ１，ＡＲｄ１を決定する工程は不要となる。この場合、補正係数決定部１３２Ｄは、補正係数ＡＬをＡＬｄ２に決定し、補正係数ＡＲをＡＲｄ２に決定する。
【００９８】
補正係数決定部１３２Ｄは、左眼画像の動き領域に対応する期間は、決定された補正係数ＡＬを出力し、その他の期間は、補正係数ＡＬとして１を出力する。また、補正係数決定部１３２Ｄは、右眼画像の動き領域に対応する期間は、決定された補正係数ＡＲを出力し、その他の期間は、補正係数ＡＲとして１を出力する。
【００９９】
乗算部１３３Ｌは、補正係数決定部１３２Ｄで決定された補正係数ＡＬを左眼画像信号ＳＬに乗算して、この左眼画像信号ＳＬの輝度値を補正し、補正後の左眼画像信号ＳＬcを出力する。上述したように、左眼画像の動き領域に対応する期間を除いて補正係数ＡＬは１とされるので、乗算部１３３Ｌは、左眼画像信号ＳＬのうち、左眼画像の動き領域に対応した信号の輝度値のみを補正する。
【０１００】
また、乗算部１３３Ｒは、補正係数決定部１３２Ｄで決定された補正係数ＡＲを右眼画像信号ＳＲに乗算して、この右眼画像信号ＳＲの輝度値を補正し、補正後の右眼画像信号ＳＲcを出力する。上述したように、右眼画像の動き領域に対応する期間を除いて補正係数ＡＲは１とされるので、乗算部１３３Ｒは、右眼画像信号ＳＲのうち、右眼画像の動き領域に対応した信号の輝度値のみを補正する。
【０１０１】
図８に示す輝度補正部１１５Ｄの動作を説明する。３Ｄ信号処理部１１４（図１参照）から出力される左眼画像信号ＳＬは、動き領域検出部１３４Ｌに供給される。この動き領域検出部１３４Ｌでは、左眼画像信号ＳＬに基づいて、フレーム毎に、左眼画像の動き領域が検出される。左眼画像の動き領域を示す信号（動き領域信号）は、補正係数決定部１３２ＤおよびＡＰＬ算出部１３１Ｌｄに供給される。
【０１０２】
ＡＰＬ算出部１３１Ｌｄでは、３Ｄ信号処理部１１４（図１参照）から供給される左眼画像信号ＳＬおよび動き領域検出部１３４Ｌから供給される動き領域信号に基づいて、フレーム毎に、左眼画像の動き領域の平均輝度値（ＡＰＬ）Ｌavdが算出される。このようにＡＰＬ算出部１３１Ｌｄで算出される平均輝度値Ｌavdは、補正係数決定部１３２Ｄに供給される。
【０１０３】
また、３Ｄ信号処理部１１４（図１参照）から出力される右眼画像信号ＳＲは、動き領域検出部１３４Ｒに供給される。この動き領域検出部１３４Ｒでは、右眼画像信号ＳＲに基づいて、フレーム毎に、右眼画像の動き領域が検出される。右眼画像の動き領域を示す信号（動き領域信号）は、補正係数決定部１３２ＤおよびＡＰＬ算出部１３１Ｒｄに供給される。
【０１０４】
ＡＰＬ算出部１３１Ｒｄでは、３Ｄ信号処理部１１４（図１参照）から供給される右眼画像信号ＳＲおよび動き領域検出部１３４Ｒから供給される動き領域信号に基づいて、フレーム毎に、右眼画像の動き領域の平均輝度値（ＡＰＬ）Ｒavdが算出される。このようにＡＰＬ算出部１３１Ｒｄで算出される平均輝度値Ｒavdは、補正係数決定部１３２Ｄに供給される。
【０１０５】
補正係数決定部１３２Ｄでは、ＡＰＬ算出部１３１Ｌｄ，１３１Ｒｄからの平均輝度値Ｌavd，Ｒavd、および表示周期のいずれかまたは双方に基づいて、左眼画像信号ＳＬおよび右眼画像信号ＳＲの輝度値の補正係数ＡＬおよびＡＲが決定される。この場合、連続する各一対の第１、第２の期間で画像表示部に表示される左眼画像（動き領域）および右眼画像（動き領域）の明度を、右眼画像の明度に比べて左眼画像の明度が低くなるように補正するための補正係数ＡＬ，ＡＲが決定される。
【０１０６】
また、この場合、補正係数決定部１３２Ｄでは、先に表示される左眼画像（動き領域）の明度と後に表示される右眼画像（動き領域）との間に、観視者がほぼ同じタイミングで知覚する程度の明度差が付くように、補正係数ＡＬ，ＡＲが決定される。
【０１０７】
そして、補正係数決定部１３２Ｄでは、左眼画像の動き領域に対応する期間は、決定された補正係数ＡＬが出力され、その他の期間は、補正係数ＡＬとして１が出力される。この補正係数ＡＬは、乗算部１３３Ｌに供給される。また、また、補正係数決定部１３２Ｄでは、右眼画像の動き領域に対応する期間は、決定された補正係数ＡＲが出力され、その他の期間は、補正係数ＡＲとして１が出力される。この補正係数ＡＲは、乗算部１３３Ｒに供給される。
【０１０８】
また、３Ｄ信号処理部１１４（図１参照）から出力される左眼画像信号ＳＬは、乗算部１３３Ｌに供給される。この乗算部１３３Ｌでは、補正係数ＡＬが左眼画像信号ＳＬに乗算されて、補正後の左眼画像信号ＳＬcが出力される。上述したように、左眼画像の動き領域に対応する期間を除いて補正係数ＡＬは１とされるので、補正後の左眼画像信号ＳＬcは、左眼画像信号ＳＬのうち左眼画像の動き領域に対応した信号の輝度値のみが補正されたものとなる。
【０１０９】
また、３Ｄ信号処理部１１４（図１参照）から出力される右眼画像信号ＳＲは、乗算部１３３Ｒに供給される。この乗算部１３３Ｒでは、補正係数ＡＲが右眼画像信号ＳＲに乗算されて、補正後の右眼画像信号ＳＲcが出力される。上述したように、右眼画像の動き領域に対応する期間を除いて補正係数ＡＲは１とされるので、補正後の右眼画像信号ＳＲcは、右眼画像信号ＳＬのうち右眼画像の動き領域に対応した信号の輝度値のみが補正されたものとなる。
【０１１０】
図８に示す輝度補正部１１５Ｄでは、ＡＰＬ算出部１３１Ｌｄ，１３１Ｒｄで算出された平均輝度値Ｌavd，Ｒavd、および表示周期のいずれかまたは双方に基づいて、画像信号ＳＬ，ＳＲの輝度値の補正係数ＡＬ，ＡＲが自動的に決定される。そのため、観視者を煩わせることなく、左眼画像信号ＳＬおよび右眼画像信号ＳＲの輝度値を、適切に補正できる。
【０１１１】
また、図８に示す輝度補正部１１５Ｄでは、補正係数決定部１３２Ｄから出力される画像信号ＳＬ，ＳＲの輝度値の補正係数ＡＬ，ＡＲは、動き領域に対応する期間を除いて補正係数ＡＲは１とされる。そのため、画像信号ＳＬ、ＳＲのうち、動き領域に対応した信号の明度のみが補正され、静止領域の明度は補正されず、無用なフリッカの発生を抑制できる。
【０１１２】
なお、図８に示す輝度補正部１１５Ｄにおいて、補正係数決定部１３２Ｄでは、平均輝度値Ｌavd，Ｒavd、および表示周期のいずれかまたは双方に基づいて、画像信号ＳＬ，ＳＲの輝度値の補正係数ＡＬ，ＡＲが決定される。しかし、例えば、上述したように動き領域検出部１３４Ｌ，１３４Ｒで動き領域を検出する他に、その動き領域の動き量も検出し、動き量信号を補正係数決定部１３２Ｄに供給することも考えられる。
【０１１３】
その場合、補正係数決定部１３２Ｄでは、平均輝度値Ｌavd，Ｒavd、および表示周期のいずれかまたは双方と共に、動き領域検出部１３４Ｌ，１３４Ｒからの動き量信号に基づいて、画像信号ＳＬ，ＳＲの輝度値の補正係数ＡＬ，ＡＲを決定することも考えられる。上述したように、速い動きを伴う動画に対する追従視の際に、同時視における立体融合位置に乖離が発生する。補正係数決定部１３２Ｄは、例えば、動き量信号により、立体融合位置の乖離が発生するか否かの判断を行うことが可能となる。そして、補正係数決定部１３２Ｄは、例えば、立体融合位置の乖離が発生すると判断した場合のみ、画像信号ＳＬ，ＳＲの輝度値を補正する補正係数ＡＬ，ＡＲを決定することも可能となる。
【０１１４】
［輝度補正部の他の構成例］
図８に示す輝度補正部１１５Ｄは、補正係数決定部１３２Ｄで補正係数ＡＬ，ＡＲを決定し、左眼画像信号ＳＬおよび右眼画像信号ＳＲの双方の輝度値を補正するものである。しかし、左眼画像信号ＳＬおよび右眼画像信号ＳＲのいずれか一方の輝度値のみを補正する構成とすることもできる。
【０１１５】
図９は、輝度補正部１１５Ｅの構成例を示している。この図９において、図８と対応する部分には同一符号を付し、その詳細説明は省略する。この輝度補正部１１５Ｅは、ＡＰＬ算出部１３１Ｌｄ，１３１Ｒｄと、補正係数決定部１３２Ｅと、乗算部１３３Ｌと、動き領域検出部１３４Ｌ，１３４Ｒを有している。ここで、補正係数決定部１３２Ｅは補正信号決定部を構成し、乗算部１３３Ｌは画像処理部を構成している。
【０１１６】
補正係数決定部１３２Ｅは、ＡＰＬ算出部１３１Ｌｄ，１３１Ｒｄで算出された平均輝度値Ｌavd，Ｒavd、および表示周期のいずれかまたは双方に基づいて、左眼画像信号ＳＬおよび右眼画像信号ＳＲの輝度値の補正係数ＡＬ，ＡＲを決定する。この補正係数決定部１３２Ｅは、基本的に、図８に示す輝度補正部１１５Ｄの補正係数決定部１３２Ｄと同様の工程で補正係数ＡＬを決定する。この補正係数決定部１３２Ｅは、例えば、以下の工程で、補正係数ＡＬ，ＡＲを決定する。
【０１１７】
まず、補正係数決定部１３２Ｅは、ＡＰＬ算出部１３１Ｌｄ，１３１Ｒｄで算出された平均輝度値Ｌavd，Ｒavdに基づいて、それぞれの平均輝度値Ｌavd，Ｒavdを等しくするための補正係数ＡＬ１，ＡＲ１を決定する。この場合、補正係数ＡＲ１が１となるように、補正係数ＡＬ１を決定する。
【０１１８】
次に、補正係数決定部１３２Ｅは、連続する各一対の第１の期間および第２の期間で画像表示部に表示される左眼画像および右眼画像の明度を、右眼画像の明度に比べて左眼画像の明度が低くなるように補正するための補正係数ＡＬ２，ＡＲ２を決定する。この場合、補正係数決定部１３２Ｅは、ＡＰＬ算出部１３１Ｌｄ，１３１Ｒｄで算出された平均輝度値Ｌavd，Ｒavd、および表示周期のいずれかまたは双方に基づいて、補正係数ＡＬ２，ＡＲ２を決定する。この場合、補正係数ＡＲ２が１となるように、補正係数ＡＬ２を決定する。この場合の補正係数ＡＬ２，ＡＲ２は、ＡＬ２＜ＡＲ２＝１の関係になる。
【０１１９】
そして、補正係数決定部１３２Ｅは、最終的に、補正係数ＡＬをＡＬ１×ＡＬ２に決定する。なお、３Ｄ信号処理部１１４から出力される画像信号ＳＬ，ＳＲの平均輝度値Ｌavd，Ｒavdが同じであることが保証されていれば、平均輝度値Ｌavd，Ｒavdを等しくするための補正係数ＡＬ１，ＡＲ１を決定する工程は不要となる。この場合、補正係数決定部１３２Ｅは、補正係数ＡＬをＡＬ２に決定する。
【０１２０】
補正係数決定部１３２Ｅは、左眼画像の動き領域に対応する期間は、決定された補正係数ＡＬを出力し、その他の期間は、補正係数ＡＬとして１を出力する。乗算部１３３Ｌは、補正係数決定部１３２Ｅで発生された補正係数ＡＬを左眼画像信号ＳＬに乗算して、この左眼画像信号ＳＬの輝度値を補正し、補正後の左眼画像信号ＳＬcを出力する。上述したように、左眼画像の動き領域に対応する期間を除いて補正係数ＡＬは１とされるので、乗算部１３３Ｌは、左眼画像信号ＳＬのうち、左眼画像の動き領域に対応した信号の輝度値のみを補正する。
【０１２１】
図９に示す輝度補正部１１５Ｅの動作を説明する。３Ｄ信号処理部１１４（図１参照）から出力される左眼画像信号ＳＬは、動き領域検出部１３４Ｌに供給される。この動き領域検出部１３４Ｌでは、左眼画像信号ＳＬに基づいて、フレーム毎に、左眼画像の動き領域が検出される。左眼画像の動き領域を示す信号（動き領域信号）は、補正係数決定部１３２ＥおよびＡＰＬ算出部１３１Ｌｄに供給される。
【０１２２】
ＡＰＬ算出部１３１Ｌｄでは、３Ｄ信号処理部１１４（図１参照）から供給される左眼画像信号ＳＬおよび動き領域検出部１３４Ｌから供給される動き領域信号に基づいて、フレーム毎に、左眼画像の動き領域の平均輝度値（ＡＰＬ）Ｌavdが算出される。このようにＡＰＬ算出部１３１Ｌｄで算出される平均輝度値Ｌavdは、補正係数決定部１３２Ｅに供給される。
【０１２３】
また、３Ｄ信号処理部１１４（図１参照）から出力される右眼画像信号ＳＲは、動き領域検出部１３４Ｒに供給される。この動き領域検出部１３４Ｒでは、右眼画像信号ＳＲに基づいて、フレーム毎に、右眼画像の動き領域が検出される。右眼画像の動き領域を示す信号（動き領域信号）は、補正係数決定部１３２ＥおよびＡＰＬ算出部１３１Ｒｄに供給される。
【０１２４】
ＡＰＬ算出部１３１Ｒｄでは、３Ｄ信号処理部１１４（図１参照）から供給される右眼画像信号ＳＲおよび動き領域検出部１３４Ｒから供給される動き領域信号に基づいて、フレーム毎に、右眼画像の動き領域の平均輝度値（ＡＰＬ）Ｒavdが算出される。このようにＡＰＬ算出部１３１Ｒｄで算出される平均輝度値Ｒavdは、補正係数決定部１３２Ｅに供給される。
【０１２５】
補正係数決定部１３２Ｅでは、ＡＰＬ算出部１３１Ｌｄ，１３１Ｒｄからの平均輝度値Ｌavd，Ｒavd、および表示周期のいずれかまたは双方に基づいて、左眼画像信号ＳＬの輝度値の補正係数ＡＬが決定される。この場合、連続する各一対の第１の期間および第２の期間で画像表示部に表示される左眼画像（動き領域）および右眼画像（動き領域）の明度を、右眼画像の明度に比べて左眼画像の明度が低くなるように補正するための補正係数ＡＬが決定される。また、この場合、先に表示される左眼画像Ｌの明度と後に表示される右眼画像Ｒとの間に、観視者がほぼ同じタイミングで知覚する程度の明度差が付くように、補正係数ＡＬが決定される。
【０１２６】
そして、補正係数決定部１３２Ｅでは、左眼画像の動き領域に対応する期間は、決定された補正係数ＡＬが出力され、その他の期間は、補正係数ＡＬとして１が出力される。この補正係数ＡＬは、乗算部１３３Ｌに供給さされる。この乗算部１３３Ｌには、補正係数決定部１３２Ｅで決定された補正係数ＡＬが供給される。そして、この乗算部１３３Ｌでは、補正係数ＡＬが左眼画像信号ＳＬに乗算されて、左眼画像信号ＳＬの輝度値が補正され、補正後の左眼画像信号ＳＬcが出力される。上述したように、左眼画像の動き領域に対応する期間を除いて補正係数ＡＬは１とされるので、補正後の左眼画像信号ＳＬcは、左眼画像信号ＳＬのうち左眼画像の動き領域に対応した信号の輝度値のみが補正されたものとなる。
【０１２７】
また、３Ｄ信号処理部１１４（図１参照）から出力される右眼画像信号ＳＲは、そのまま、輝度補正部１１５Ｅから出力される。上述したように、補正係数決定部１３２Ｅでは、ＡＲ１＝１、ＡＲ２＝１と決定されていくので、右眼画像信号ＳＲに関しては、補正係数ＡＲを乗算して、その輝度値を補正する必要はない。
【０１２８】
なお、図９に示す輝度補正部１１５Ｅは、左眼画像信号ＳＬの輝度値のみを補正する構成としたものであるが、詳細説明は省略するが、右眼画像信号ＳＲの輝度値のみを補正する構成も同様に実現できる。
【０１２９】
［輝度補正部の他の構成例］
上述の図６に示す輝度補正部１１５は、画像信号ＳＬ，ＳＲの双方の輝度値を補正する補正係数ＡＬ，ＡＲを自動的に決定するものであるが、これらの補正係数をユーザ操作に応じて発生する構成とすることもできる。
【０１３０】
図１０は、輝度補正部１１５Ｂの構成例を示している。この図１０において、図６と対応する部分には同一符号を付し、その詳細説明は省略する。この輝度補正部１１５Ｂは、補正係数発生部１３２Ｂと、乗算部１３３Ｌ，１３３Ｒを有している。ここで、補正係数発生部１３２Ｂは補正信号発生部を構成し、乗算部１３３Ｌ，１３３Ｒは画像処理部を構成している。
【０１３１】
補正係数発生部１３２Ｂは、ユーザ操作信号Ｓusrに基づいて、左眼画像信号ＳＬおよび右眼画像信号ＳＲの輝度値の補正係数ＡＬ，ＡＲを発生する。このユーザ操作信号Ｓusrは、例えば、観視者がリモコン送信機１０６を操作することで、ＣＰＵ１０１から出力される。この場合、連続する各一対の第１の期間および第２の期間で画像表示部に表示される左眼画像および右眼画像の明度を、右眼画像の明度に比べて左眼画像の明度が低くなるように補正するための補正係数ＡＬ，ＡＲが発生される。
【０１３２】
この場合の補正係数ＡＬ，ＡＲは、ＡＬ＜ＡＲの関係になる。この場合、観視者の操作に応じて、補正係数発生部１３２Ｂが発生する補正係数ＡＬ，ＡＲは順次変化していく。例えば、補正係数ＡＬが小さくなるとき、これに伴って、補正係数ＡＲは大きくなっていく。そのため、この観視者の操作により、先に表示される左眼画像Ｌの明度と後に表示される右眼画像Ｒとの間に、観視者がほぼ同じタイミングで知覚する程度の明度差が付くように、補正係数ＡＬ，ＡＲを調整できる。
【０１３３】
乗算部１３３Ｌは、補正係数発生部１３２Ｂで発生された補正係数ＡＬを左眼画像信号ＳＬに乗算して、この左眼画像信号ＳＬの輝度値を補正し、補正後の左眼画像信号ＳＬcを出力する。また、乗算部１３３Ｒは、補正係数発生部１３２Ｂで発生された補正係数ＡＲを右眼画像信号ＳＲに乗算して、この右眼画像信号ＳＲの輝度値を補正し、補正後の右眼画像信号ＳＲcを出力する。
【０１３４】
図１０に示す輝度補正部１１５Ｂの動作を説明する。補正係数発生部１３２Ｂからは、ユーザ操作信号Ｓusrに基づいて、左眼画像信号ＳＬの輝度値の補正係数ＡＬと、右眼画像信号ＳＲの輝度値の補正係数ＡＲとが発生される。この場合、連続する各一対の第１の期間および第２の期間で画像表示部に表示される左眼画像および右眼画像の明度を、右眼画像の明度に比べて左眼画像の明度が低くなるように補正するための補正係数ＡＬ，ＡＲが発生される。
【０１３５】
また、３Ｄ信号処理部１１４（図１参照）から出力される左眼画像信号ＳＬは、乗算部１３３Ｌに供給される。この乗算部１３３Ｌには、補正係数発生部１３２Ｂで発生された補正係数ＡＬが供給される。そして、この乗算部１３３Ｌでは、補正係数ＡＬが左眼画像信号ＳＬに乗算されて、左眼画像信号ＳＬの輝度値が補正され、補正後の左眼画像信号ＳＬcが出力される。
【０１３６】
また、３Ｄ信号処理部１１４（図１参照）から出力される右眼画像信号ＳＲは、乗算部１３３Ｒに供給される。この乗算部１３３Ｒには、補正係数発生部１３２Ｂで発生された補正係数ＡＲが供給される。そして、この乗算部１３３Ｒでは、補正係数ＡＲが右眼画像信号ＳＲに乗算されて、右眼画像信号ＳＲの輝度値が補正され、補正後の右眼画像信号ＳＲcが出力される。
【０１３７】
図１０に示す輝度補正部１１５では、ユーザ操作信号Ｓuseに基づいて、画像信号ＳＬ，ＳＲの輝度値の補正係数ＡＬ，ＡＲが発生される。そのため、観視者は、先に表示される左眼画像Ｌの明度と後に表示される右眼画像Ｒとの間に、ほぼ同じタイミングで知覚する程度の明度差が付くように、補正係数ＡＬ，ＡＲを適切に調整できる。
【０１３８】
［輝度補正部の他の構成例］
図１０に示す輝度補正部１１５Ｂは、補正係数発生部１３２Ｂで補正係数ＡＬ，ＡＲを発生し、左眼画像信号ＳＬおよび右眼画像信号ＳＲの双方の輝度値を補正するものである。しかし、左眼画像信号ＳＬおよび右眼画像信号ＳＲのいずれか一方の輝度値のみを補正する構成とすることもできる。
【０１３９】
図１１は、輝度補正部１１５Ｃの構成例を示している。この図１１において、図１０と対応する部分には同一符号を付し、その詳細説明は省略する。この輝度補正部１１５Ｃは、補正係数発生部１３２Ｃと、乗算部１３３Ｌを有している。ここで、補正係数発生部１３２Ｃは補正信号発生部を構成し、乗算部１３３Ｌは画像処理部を構成している。
【０１４０】
補正係数発生部１３２Ｃは、ユーザ操作信号Ｓusrに基づいて、左眼画像信号ＳＬの輝度値の補正係数ＡＬを発生する。この場合、連続する各一対の第１の期間および第２の期間で画像表示部に表示される左眼画像および右眼画像の明度を、右眼画像の明度に比べて左眼画像の明度が低くなるように補正するための補正係数ＡＬが発生される。この場合の補正係数ＡＬは、ＡＬ＜１の関係になる。
【０１４１】
この場合、観視者の操作に応じて、補正係数発生部１３２Ｃが発生する補正係数Ａは順次変化していく。そのため、この観視者の操作により、先に表示される左眼画像Ｌの明度と後に表示される右眼画像Ｒとの間に、観視者がほぼ同じタイミングで知覚する程度の明度差が付くように、補正係数ＡＬを調整できる。
【０１４２】
乗算部１３３Ｌは、補正係数発生部１３２Ｃで発生された補正係数ＡＬを左眼画像信号ＳＬに乗算して、この左眼画像信号ＳＬの輝度値を補正し、補正後の左眼画像信号ＳＬcを出力する。
【０１４３】
図１１に示す輝度補正部１１５Ｃの動作を説明する。補正係数発生部１３２Ｃからは、ユーザ操作信号Ｓusrに基づいて、左眼画像信号ＳＬの輝度値の補正係数ＡＬが発生される。この場合、連続する各一対の第１の期間および第２の期間で画像表示部に表示される左眼画像および右眼画像の明度を、右眼画像の明度に比べて左眼画像の明度が低くなるように補正するための補正係数ＡＬが発生される。
【０１４４】
また、３Ｄ信号処理部１１４（図１参照）から出力される左眼画像信号ＳＬは、乗算部１３３Ｌに供給される。この乗算部１３３Ｌには、補正係数発生部１３２Ｃで発生された補正係数ＡＬが供給される。そして、この乗算部１３３Ｌでは、補正係数ＡＬが左眼画像信号ＳＬに乗算されて、左眼画像信号ＳＬの輝度値が補正され、補正後の左眼画像信号ＳＬcが出力される。また、３Ｄ信号処理部１１４（図１参照）から出力される右眼画像信号ＳＲは、そのまま、輝度補正部１１５Ｃから出力される。
【０１４５】
なお、図１１に示す輝度補正部１１５Ｃは、左眼画像信号ＳＬの輝度値のみを補正する構成としたものであるが、詳細説明は省略するが、右眼画像信号ＳＲの輝度値のみを補正する構成も同様に実現できる。
【０１４６】
上述したように、図１に示す画像表示観察システム１０においては、連続する各一対の第１の期間および第２の期間で画像表示部に表示される左眼画像および右眼画像の明度が、右眼画像の明度に比べて左眼画像の明度が低くなるように補正される。そのため、プルフリッヒ効果に基づき、時間的に先に表示される左眼画像の知覚時間が、時間的に遅く表示される右眼画像の知覚時間より遅くなる。従って、速い動きを伴う動画に対する追従視の際に、同時視における立体融合位置に乖離が発生することを抑制でき、観視者に良好な立体画像を知覚させることが可能となる。
【０１４７】
＜２．第２の実施の形態＞
［画像表示観察システムの構成例］
図１２は、第２の実施の形態としての画像表示観察システム１０Ａの構成例を示している。この図１２において、図１と対応する部分には同一符号を付し、適宜、その詳細説明は省略する。この画像表示観察システム１０Ａは、画像表示装置１００Ａと、シャッタメガネ装置２００とを備える。
【０１４８】
画像表示装置１００Ａでは、第１の期間および第２の期間が交互に連続し、この連続する各一対の第１の期間および第２の期間で、それぞれ、視差を有する同時刻の左眼画像および右眼画像の一方の画像および他方の画像が表示される。この実施の形態では、例えば、一方の画像は左眼画像とされ、他方の画像は右眼画像とされる。
【０１４９】
シャッタメガネ装置２００では、画像表示装置１００Ａに左眼画像Ｌが表示されるタイミングで左眼シャッタ２００Ｌが開かれ、右眼画像Ｒが表示されるタイミングで右眼シャッタ２００Ｒが開かれる（図２参照）。そのため、観視者は、このシャッタメガネ装置２００を装着することで、左眼で左眼画像Ｌのみの知覚が可能となり、右眼で右眼画像Ｒのみの知覚が可能となる。これにより、観視者は、視差を有する左眼画像Ｌおよび右眼画像Ｒに基づいて、画像を立体的に認識可能となる。
【０１５０】
画像表示装置１００Ａの構成について説明する。この画像表示装置１００Ａは、ＣＰＵ１０１と、フラッシュＲＯＭ１０２と、ＤＲＡＭ１０３と、内部バス１０４と、リモコン受信部１０５と、リモコン送信機１０６を有している。また、この画像表示装置１００Ａは、アンテナ端子１１１と、デジタルチューナ１１２と、ビットストリーム処理部１１３と、３Ｄ信号処理部１１４を有している。
【０１５１】
また、この画像表示装置１００Ａは、映像信号制御部１１６と、ＬＣＤ駆動部１１７と、ＬＣＤパネル１１８と、バックライト１１９と、音声信号処理回路１２０と、音声増幅回路１２１と、スピーカ１２２を有している。また、この画像表示装置１００Ａは、ＨＤＭＩ端子１２３と、ＨＤＭＩ受信部１２４と、シャッタ制御部１２５と、赤外線（ＩＲ）発光部１２６と、補正係数決定部１２７を有している。補正係数決定部１２７は、補正信号決定部を構成している。ＬＣＤパネル１１８およびバックライト１１９は、画像表示部を構成している。
【０１５２】
補正係数決定部１２７は、バックライト１１９の明るさを補正するための補正係数ＡＬ，ＡＲを、画像信号ＳＬ，ＳＲの平均輝度値Ｌav，Ｒavおよび表示周期に基づいて、決定する。この補正係数決定部１２７は、例えば、図６に示す輝度補正部１１５におけるＡＰＬ算出部１３１Ｌ，１３１Ｒおよび補正係数決定部１３２の部分と同様に構成される。
【０１５３】
補正係数決定部１２７は、上述したように連続する各一対の第１の期間および第２の期間で画像表示部に表示される左眼画像および右眼画像の明度を、右眼画像の明度に比べて左眼画像の明度が低くなるように補正するための補正係数ＡＬ，ＡＲを決定する。この場合、補正係数決定部１２７は、先に表示される左眼画像Ｌの明度と後に表示される右眼画像Ｒとの間に、観視者がほぼ同じタイミングで知覚する程度の明度差が付くように、補正係数ＡＬ，ＡＲを決定する。
【０１５４】
バックライト１１９は、図示しないバックライト制御部により、補正係数決定部１２７で決定された補正係数ＡＬ，ＡＲに対応した明るさで発光するように制御する。すなわち、バックライト１１９は、左眼画像Ｌを表示するタイミングでは基本の明るさのＡＬ倍の明るさとなり、右眼画像Ｒを表示するタイミングでは基本の明るさのＡＲ倍の明るさとなる。これにより、先に表示される左眼画像Ｌの明度と後に表示される右眼画像Ｒとの間に、観視者がほぼ同じタイミングで知覚する程度の明度差が付けられる。
【０１５５】
画像表示装置１００Ａのその他は、図１に示す画像表示観察システム１０の画像表示装置１００と同様に構成され、同様に動作する。図１２に示す画像表示観察システム１０Ａのシャッタメガネ装置２００は、図１に示す画像表示観察システム１０のシャッタメガネ装置２００と同様のものである。
【０１５６】
上述したように、図１２に示す画像表示観察システム１０Ａにおいては、連続する各一対の第１の期間および第２の期間で画像表示部に表示される左眼画像および右眼画像の明度が、右眼画像の明度に比べて左眼画像の明度が低くなるように補正される。そのため、プルフリッヒ効果に基づき、時間的に先に表示される左眼画像の知覚時間が、時間的に遅く表示される右眼画像の知覚時間より遅くなる。従って、速い動きを伴う動画に対する追従視の際に、同時視における立体融合位置に乖離が発生することを抑制でき、観視者に良好な立体画像を知覚させることが可能となる。
【０１５７】
なお、図１２に示す画像表示観察システム１０Ａの補正係数決定部１２７では、補正係数ＡＬ，ＡＲを決定し、左眼画像Ｌ、右眼画像Ｒの表示タイミングにおけるバックライトの明るさを補正するものである。しかし、補正係数ＡＬ，ＡＲのいずれか一方のみを決定し、左眼画像Ｌ、右眼画像Ｒの表示タイミングのいずれかにおけるバックライトの明るさのみを補正する構成とすることも考えられる。
【０１５８】
例えば、補正係数決定部１２７で補正係数ＡＬのみを決定する場合、この補正係数決定部１２７は、例えば、図７に示す輝度補正部１１５ＡにおけるＡＰＬ算出部１３１Ｌ，１３１Ｒおよび補正係数決定部１３２Ａの部分と同様に構成される。この場合、バックライト１１９は、左眼画像Ｌを表示するタイミングでは基本の明るさのＡＬ倍の明るさとされ、右眼画像Ｒを表示するタイミングでは基本の明るさとされる。
【０１５９】
＜３．第３の実施の形態＞
［画像表示観察システムの構成例］
図１３は、第３の実施の形態としての画像表示観察システム１０Ｂの構成例を示している。この図１３において、図１と対応する部分には同一符号を付し、適宜、その詳細説明は省略する。この画像表示観察システム１０Ｂは、画像表示装置１００Ｂと、シャッタメガネ装置２００とを備える。
【０１６０】
画像表示装置１００Ｂでは、第１の期間および第２の期間が交互に連続し、この連続する各一対の第１の期間および第２の期間で、それぞれ、視差を有する同時刻の左眼画像および右眼画像の一方の画像および他方の画像が表示される。この実施の形態では、例えば、一方の画像は左眼画像とされ、他方の画像は右眼画像とされる。
【０１６１】
シャッタメガネ装置２００では、画像表示装置１００Ｂに左眼画像Ｌが表示されるタイミングで左眼シャッタ２００Ｌが開かれ、右眼画像Ｒが表示されるタイミングで右眼シャッタ２００Ｒが開かれる（図２参照）。そのため、観視者は、このシャッタメガネ装置２００を装着することで、左眼で左眼画像Ｌのみの知覚が可能となり、右眼で右眼画像Ｒのみの知覚が可能となる。これにより、観視者は、視差を有する左眼画像Ｌおよび右眼画像Ｒに基づいて、画像を立体的に認識可能となる。
【０１６２】
画像表示装置１００Ｂの構成について説明する。この画像表示装置１００Ｂは、ＣＰＵ１０１と、フラッシュＲＯＭ１０２と、ＤＲＡＭ１０３と、内部バス１０４と、リモコン受信部１０５と、リモコン送信機１０６を有している。また、この画像表示装置１００Ｂは、アンテナ端子１１１と、デジタルチューナ１１２と、ビットストリーム処理部１１３と、３Ｄ信号処理部１１４を有している。
【０１６３】
また、この画像表示装置１００Ｂは、映像信号制御部１１６と、ＬＣＤ駆動部１１７と、ＬＣＤパネル１１８と、バックライト１１９と、音声信号処理回路１２０と、音声増幅回路１２１と、スピーカ１２２を有している。また、この画像表示装置１００Ｂは、ＨＤＭＩ端子１２３と、ＨＤＭＩ受信部１２４と、シャッタ制御部１２５と、赤外線（ＩＲ）発光部１２６と、補正係数発生部１２８を有している。補正係数発生部１２８は、補正信号発生部を構成している。ＬＣＤパネル１１８およびバックライト１１９は、画像表示部を構成している。
【０１６４】
補正係数発生部１２８は、バックライト１１９の明るさを補正するための補正係数ＡＬ，ＡＲを、ユーザ操作信号Ｓuseに基づいて、発生する。この補正係数発生部１２８は、例えば、図１０に示す輝度補正部１１５Ｂにおける補正係数発生部１３２Ｂの部分と同様に構成される。
【０１６５】
補正係数発生部１２８は、連続する各一対の第１の期間および第２の期間で画像表示部に表示される左眼画像および右眼画像の明度を、右眼画像の明度に比べて左眼画像の明度が低くなるように補正するための補正係数ＡＬ，ＡＲを発生する。この場合、観視者の操作に応じて、補正係数発生部１２８が発生する補正係数ＡＬ，ＡＲは順次変化していく。例えば、補正係数ＡＬが小さくなるとき、これに伴って、補正係数ＡＲは大きくなっていく。そのため、この観視者の操作により、先に表示される左眼画像Ｌの明度と後に表示される右眼画像Ｒとの間に、観視者がほぼ同じタイミングで知覚する程度の明度差が付くように、補正係数ＡＬ，ＡＲを調整できる。
【０１６６】
バックライト１１９は、図示しないバックライト制御部により、補正係数発生部１２８で決定された補正係数ＡＬ，ＡＲに対応した明るさで発光するように制御される。すなわち、バックライト１１９は、左眼画像Ｌを表示するタイミングでは基本の明るさのＡＬ倍の明るさとなり、右眼画像Ｒを表示するタイミングでは基本の明るさのＡＲ倍の明るさとなる。これにより、先に表示される左眼画像Ｌの明度と後に表示される右眼画像Ｒとの間に、ユーザ操作に応じて、観視者がほぼ同じタイミングで知覚する程度の明度差が付けられる。
【０１６７】
画像表示装置１００Ｂのその他は、図１に示す画像表示観察システム１０の画像表示装置１００と同様に構成され、同様に動作する。図１３に示す画像表示観察システム１０Ｂのシャッタメガネ装置２００は、図１に示す画像表示観察システム１０のシャッタメガネ装置２００と同様のものである。
【０１６８】
上述したように、図１３に示す画像表示観察システム１０Ｂにおいては、連続する各一対の第１の期間および第２の期間で画像表示部に表示される左眼画像および右眼画像の明度が、右眼画像の明度に比べて左眼画像の明度が低くなるように補正できる。そのため、プルフリッヒ効果に基づき、時間的に先に表示される左眼画像の知覚時間が、時間的に遅く表示される右眼画像の知覚時間より遅くなる。従って、速い動きを伴う動画に対する追従視の際に、同時視における立体融合位置に乖離が発生することを抑制でき、観視者に良好な立体画像を知覚させることが可能となる。
【０１６９】
なお、図１３に示す画像表示観察システム１０Ｂの補正係数発生部１２８では、補正係数ＡＬ，ＡＲを発生し、左眼画像Ｌ、右眼画像Ｒの表示タイミングにおけるバックライトの明るさを補正するものである。しかし、補正係数ＡＬ，ＡＲのいずれか一方のみを決定し、左眼画像Ｌ、右眼画像Ｒの表示タイミングのいずれかにおけるバックライトの明るさのみを補正する構成とすることも考えられる。
【０１７０】
例えば、補正係数発生部１２８で補正係数ＡＬのみを発生する場合、この補正係数発生部１２８は、例えば、図１１に示す輝度補正部１１５Ｃにおける補正係数発生部１３２Ｃの部分と同様に構成される。この場合、バックライト１１９は、左眼画像Ｌを表示するタイミングでは基本の明るさのＡＬ倍の明るさとされ、右眼画像Ｒを表示するタイミングでは基本の明るさとされる。
【０１７１】
また、図１３に示す画像表示観察システム１０Ｂにおいて、ＬＣＤパネル１１８の駆動およびシャッタメガネ装置２００Ｃの左眼シャッタ２００Ｌおよび右眼シャッタ２００Ｒの開口タイミングに同期して、バックライト１１９を点滅させるようにしてもよい。この場合、観視者において左眼シャッタ２００Ｌおよび右眼シャッタ２００Ｒが双方とも閉じている期間にバックライト１１９を消灯することで、電力を削減できる。
【０１７２】
＜４．第４の実施の形態＞
［画像表示観察システムの構成例］
上述の第１〜第３の実施の形態においては、画像表示装置１００，１００Ａ，１００Ｂにおいて、画像表示部（表示パネル１１８）に表示される左眼画像および右眼画像の双方またはいずれか一方の明度を補正するものを示した。しかし、シャッタメガネ装置を介して観視者に観視される左眼画像および右眼画像の双方またはいずれか一方の明度を、シャッタメガネ装置側で補正することも考えられる。
【０１７３】
図１４は、第４の実施の形態としての画像表示観察システム１０Ｃの構成例を示している。この図１４において、図１と対応する部分には同一符号を付し、適宜、その詳細説明は省略する。この画像表示観察システム１０Ｃは、画像表示装置１００Ｃと、シャッタメガネ装置２００Ｃとを備える。
【０１７４】
画像表示装置１００Ｃでは、第１の期間および第２の期間が交互に連続し、この連続する各一対の第１の期間および第２の期間で、それぞれ、視差を有する同時刻の左眼画像および右眼画像の一方の画像および他方の画像が表示される。この実施の形態では、例えば、一方の画像は左眼画像とされ、他方の画像は右眼画像とされる。
【０１７５】
シャッタメガネ装置２００Ｃでは、画像表示装置１００に左眼画像Ｌが表示されるタイミングで左眼シャッタ２００Ｌが開かれ、右眼画像Ｒが表示されるタイミングで右眼シャッタ２００Ｒが開かれる（図２参照）。そのため、観視者は、このシャッタメガネ装置２００Ｃを装着することで、左眼で左眼画像Ｌのみの知覚が可能となり、右眼で右眼画像Ｒのみの知覚が可能となる。これにより、観視者は、視差を有する左眼画像Ｌおよび右眼画像Ｒに基づいて、画像を立体的に認識可能となる。
【０１７６】
画像表示装置１００Ｃの構成について説明する。この画像表示装置１００Ｃは、ＣＰＵ１０１と、フラッシュＲＯＭ１０２と、ＤＲＡＭ１０３と、内部バス１０４と、リモコン受信部１０５と、リモコン送信機１０６を有している。また、この画像表示装置１００Ｃは、アンテナ端子１１１と、デジタルチューナ１１２と、ビットストリーム処理部１１３と、３Ｄ信号処理部１１４を有している。
【０１７７】
また、この画像表示装置１００Ｃは、映像信号制御部１１６と、ＬＣＤ駆動部１１７と、ＬＣＤパネル１１８と、バックライト１１９と、音声信号処理回路１２０と、音声増幅回路１２１と、スピーカ１２２を有している。また、この画像表示装置１００Ｃは、ＨＤＭＩ端子１２３と、ＨＤＭＩ受信部１２４と、シャッタ制御部１２５Ｃと、赤外線（ＩＲ）発光部１２６と、補正係数決定部１４１を有している。ＬＣＤパネル１１８およびバックライト１１９は、画像表示部を構成している。
【０１７８】
補正係数決定部１４１は、シャッタメガネ装置２００Ｃで観視される左眼画像および右眼画像の明度を補正するための補正係数ＡＬ，ＡＲを決定する。この補正係数決定部１４１は、上述の画像表示装置１００Ａ（図１２参照）における補正係数決定部１２７と同様に構成され、補正係数ＡＬ，ＡＲを、画像信号ＳＬ，ＳＲの平均輝度値Ｌav，Ｒavおよび表示周期のいずれかまたは双方に基づいて、決定する。すなわち、この補正係数決定部１４１は、例えば、図６に示す輝度補正部１１５におけるＡＰＬ算出部１３１Ｌ，１３１Ｒおよび補正係数決定部１３２の部分と同様に構成される。
【０１７９】
補正係数決定部１４１は、上述したように連続する各一対の第１の期間および第２の期間で観視者に観視される左眼画像および右眼画像の明度を、右眼画像の明度に比べて左眼画像の明度が低くなるように補正するための補正係数ＡＬ，ＡＲを決定する。この場合、補正係数決定部１４１は、先に観視される左眼画像Ｌの明度と後に観視される右眼画像Ｒとの間に、観視者がほぼ同じタイミングで知覚する程度の明度差が付くように、補正係数ＡＬ，ＡＲを決定する。
【０１８０】
シャッタ制御部１２５Ｃには、映像信号制御部１１６から左眼画像および右眼画像の表示タイミングを示すタイミング信号が供給されると共に、上述したように補正係数決定部１４１で決定される補正係数ＡＬ，ＡＲが供給される。シャッタ制御部１２５Ｃは、タイミング信号に基づいて、駆動信号を赤外線発光部１２６に送る。赤外線発光部１２６は、この駆動信号に応じて発光し、左眼画像および右眼画像の表示タイミングを示すシャッタ制御信号Ｃshを、赤外線信号として、出力する。
【０１８１】
また、シャッタ制御部１２５Ｃは、補正係数決定部１４１から供給される補正係数ＡＬ，ＡＲに基づいて、駆動信号を赤外線発光部１２６に送る。赤外線発光部１２６は、この駆動信号に応じて発光し、補正係数ＡＬ，ＡＲを、赤外線信号として、出力する。
【０１８２】
画像表示装置１００Ｃのその他は、図１に示す画像表示観察システム１０の画像表示装置１００と同様に構成され、同様に動作する。
【０１８３】
シャッタメガネ装置２００Ｃの構成について説明する。図１５は、シャッタメガネ装置２００Ｃの構成例を示している。この図１５において、図５と対応する部分には同一符号を付し、適宜、その詳細説明は省略する。このシャッタメガネ装置２００Ｃは、左眼シャッタ２００Ｌおよび右眼シャッタ２００Ｒを含むシャッタメガネ部２０１と、赤外線受光部２０２と、シャッタ駆動部２０３Ｃを有している。赤外線受光部２０２は、受信部を構成している。
【０１８４】
赤外線受光部２０２は、画像表示装置１００Ｃから送信される、左眼画像および右眼画像の表示タイミングを示すシャッタ制御信号Ｃshと、シャッタメガネ部２０１を介して観視される左眼画像および右眼画像の明度を補正するための補正係数ＡＬ，ＡＲを受信する。このように受信されたシャッタ制御信号Ｃshおよび補正係数ＡＬ，ＡＲは、シャッタ駆動部２０３Ｃに供給される。
【０１８５】
シャッタ駆動部２０３Ｃは、シャッタ制御信号Ｃshおよび補正係数ＡＬ，ＡＲに基づいて、シャッタメガネ部２０１の左眼シャッタ２００Ｌおよび右眼シャッタ２００Ｒを駆動する。すなわち、シャッタ駆動部２０３Ｃは、画像表示装置１００Ｃの画像表示部（ＬＣＤパネル１１８）に左眼画像Ｌが表示されるタイミングで、左眼シャッタ２００Ｌを開く。また、シャッタ駆動部２０３Ｃは、画像表示装置１００Ｃの画像表示部（ＬＣＤパネル１１８）に右眼画像Ｒが表示されるタイミングで、右眼シャッタ２００Ｒを開く。
【０１８６】
さらに、シャッタ駆動部２０３Ｃは、右眼画像の明度に比べて左眼画像の明度が低くなるように、左眼シャッタ２００Ｌおよび右眼シャッタ２００Ｒの開いている時間あるいは透過率を、補正係数ＡＬ，ＡＲに応じて変更する。すなわち、シャッタ駆動部２０３Ｃは、左眼シャッタ２００Ｌの開いている時間あるいは透過率を、基本のＡＬ倍とし、右眼シャッタ２００Ｒの開いている時間あるいは透過率を、基本のＡＲ倍とする。これにより、先に表示される左眼画像Ｌの明度と後に表示される右眼画像Ｒとの間に、観視者がほぼ同じタイミングで知覚する程度の明度差が付けられる。この意味で、シャッタ駆動部２０３Ｃは、明度補正部を構成している。
【０１８７】
シャッタメガネ装置２００Ｃのその他は、図１に示す画像表示観察システム１０のシャッタメガネ装置２００と同様に構成され、同様に動作する。
【０１８８】
上述したように、図１４に示す画像表示観察システム１０Ｃにおいては、連続する各一対の第１の期間および第２の期間で観視者に観視される左眼画像および右眼画像の明度が、右眼画像の明度に比べて左眼画像の明度が低くなるように、補正される。そのため、プルフリッヒ効果に基づき、時間的に先に表示される左眼画像の知覚時間が、時間的に遅く表示される右眼画像の知覚時間より遅くなる。従って、速い動きを伴う動画に対する追従視の際に、同時視における立体融合位置に乖離が発生することを抑制でき、観視者に良好な立体画像を知覚させることが可能となる。
【０１８９】
なお、図１４に示す画像表示観察システム１０Ｃの補正係数決定部１４１では、補正係数ＡＬ，ＡＲを決定し、左眼画像Ｌ、右眼画像Ｒの表示タイミングにおける左眼シャッタ２００Ｌ、右眼シャッタ２００Ｒの開いている時間あるいは透過率を変更するものである。しかし、補正係数ＡＬ，ＡＲのいずれか一方のみを決定し、左眼シャッタ２００Ｌ、右眼シャッタ２００Ｒのいずれかの開いている時間あるいは透過率を補正する構成とすることも考えられる。
【０１９０】
例えば、補正係数決定部１４１で補正係数ＡＬのみを決定する場合、この補正係数決定部１４１は、例えば、図７に示す輝度補正部１１５ＡにおけるＡＰＬ算出部１３１Ｌ，１３１Ｒおよび補正係数決定部１３２Ａの部分と同様に構成される。この場合、表示装置１００Ｃからシャッタメガネ装置２００Ｃには、補正係数ＡＬのみが送られる。そして、シャッタメガネ装置２００Ｃにおいて、左眼シャッタ２００Ｌの開いている時間あるいは透過率は、基本のＡＬ倍とされ、右眼シャッタ２００Ｒの開いている時間あるいは透過率は、基本のままとされる。
【０１９１】
なお、この図１４に示す画像表示観察システム１０Ｃの画像表示装置１００Ｃにおいて、補正係数生成部１４１の部分を、図１３に示す画像表示装置１００Ｂの補正係数発生部１２８と同様の構成の補正係数発生部に置き換えた構成も考えられる。
【０１９２】
また、図１４に示す画像表示観察システム１０Ｃでは、画像表示装置１００Ｃからシャッタメガネ装置２００Ｃに補正係数ＡＬ，ＡＲを送信するものである。しかし、このような補正係数ＡＬ，ＡＲの送信を行わずに、シャッタメガネ装置において、観視者に観視される左眼画像および右眼画像の双方またはいずれか一方の明度を補正することも考えられる。
【０１９３】
図１６は、シャッタメガネ装置２００Ｄの他の構成例を示している。この図１６において、図５、図１５と対応する部分には同一符号を付し、適宜、その詳細説明は省略する。このシャッタメガネ装置２００Ｄは、左眼シャッタ２００Ｌおよび右眼シャッタ２００Ｒを含むシャッタメガネ部２０１と、赤外線受光部２０２と、シャッタ駆動部２０３Ｄと、ユーザ操作部２０４を有している。
【０１９４】
赤外線受光部２０２は、画像表示装置から送信される、左眼画像および右眼画像の表示タイミングを示すシャッタ制御信号Ｃshを受信する。このように受信されたシャッタ制御信号Ｃshはシャッタ駆動部２０３Ｄに供給される。
【０１９５】
ユーザ操作部２０４は、ユーザが、シャッタメガネ部２０１の左眼シャッタ２００Ｌおよび右眼シャッタ２００Ｒを介して観視する左眼画像および右眼画像の双方またはいずれか一方の明度を補正するための操作を行う操作部である。このユーザ操作部２０４からの操作により、観視者は、連続する各一対の第１の期間および第２の期間で観視される左眼画像および右眼画像の明度を、右眼画像の明度に比べて左眼画像の明度が低くなるように、調整する。ユーザ操作部２０４からのユーザ操作信号は、シャッタ駆動部２０３Ｄに供給される。
【０１９６】
シャッタ駆動部２０３Ｄは、シャッタ制御信号Ｃshに基づいて、シャッタメガネ部２０１の左眼シャッタ２００Ｌおよび右眼シャッタ２００Ｒを駆動する。すなわち、シャッタ駆動部２０３Ｄは、画像表示装置の画像表示部に左眼画像Ｌが表示されるタイミングで、左眼シャッタ２００Ｌを開く。また、シャッタ駆動部２０３Ｄは、画像表示装置の画像表示部に右眼画像Ｒが表示されるタイミングで、右眼シャッタ２００Ｒを開く。
【０１９７】
さらに、シャッタ駆動部２０３Ｄは、ユーザ操作信号に基づいて、左眼シャッタ２００Ｌおよび右眼シャッタ２００Ｒの開いている時間あるいは透過率を変更する。これにより、連続する各一対の第１の期間および第２の期間で観視される左眼画像および右眼画像の明度が、右眼画像の明度に比べて左眼画像の明度が低くなるように、補正される。そして、先に表示される左眼画像Ｌの明度と後に表示される右眼画像Ｒとの間に、観視者がほぼ同じタイミングで知覚する程度の明度差が付けられる。
【０１９８】
＜５．変形例＞
なお、上述実施の形態においては、画像表示装置からシャッタメガネ装置に赤外線信号でシャッタ制御信号や補正係数を送信するものを示した。しかし、シャッタ制御信号や補正係数を画像表示装置からシャッタメガネ装置に無線送信することも考えられる。さらに、画像表示装置およびシャッタメガネ装置を有線で接続して、これらの信号を有線で送信することも考えられる。
【０１９９】
また、上述実施の形態においては、画像表示装置として画像表示部（表示パネル１１８）に表示される画像をシャッタメガネ装置で観視する画像表示観察システムを示した。しかし、画像表示装置の画像表示部に表示された画像を、さらに、スクリーンに投射して、このスクリーンに投射された画像をシャッタメガネ装置で観視する画像表示観察システムも、同様に構成することができる。
【０２００】
また、上述実施の形態において、画像表示装置１００のＬＣＤパネル１１８には、左眼画像信号ＳＬによる左眼画像および右眼画像信号ＳＲによる右眼画像を交互に表示する構成となっている。しかし、画像表示部に表示される両眼視差画像は、通常の２次元の画像から生成されたものであってもよい。
【産業上の利用可能性】
【０２０１】
この発明は、速い動きを伴う動画に対する追従視の際に、同時視における立体融合位置に乖離が発生することを抑制でき、観視者に良好な立体画像を知覚させることが可能となるものであり、視差を有する同時刻の左眼画像および右眼画像が時間差をもって表示される画像表示観察システムに適用できる。
【符号の説明】
【０２０２】
１０，１０Ａ〜１０Ｃ・・・画像表示観察システム
１００，１００Ａ〜１００Ｃ・・・画像表示装置
１０１・・・ＣＰＵ
１０２・・・フラッシュＲＯＭ
１０３・・・ＤＲＡＭ
１１１・・・アンテナ端子
１１２・・・デジタルチューナ
１１３・・・ビットストリーム処理部
１１４・・・３Ｄ信号処理部
１１５，１１５Ａ〜１１５Ｅ・・・輝度補正部
１１６・・・映像信号制御部
１１７・・・ＬＣＤ駆動部
１１８・・・ＬＣＤパネル
１１９・・・バックライト
１２０・・・音声信号処理回路
１２１・・・音声増幅回路
１２２・・・スピーカ
１２３・・・ＨＤＭＩ端子
１２４・・・ＨＤＭＩ受信部
１２５・・・シャッタ制御部
１２６・・・赤外線発光部
１３１Ｌ，１３１Ｒ，１３１Ｌｄ，１３１Ｒｄ・・・ＡＰＬ算出部
１３２，１３２Ａ，１３２Ｄ，１３２Ｅ，１４１・・・補正係数決定部
１３２Ｂ，１３２Ｃ・・・補正係数発生部
１３３Ｌ，１３３Ｒ・・・乗算部
１３４Ｌ，１３４Ｒ・・・動き領域検出部
２００，２００Ｃ，２００Ｄ・・・シャッタメガネ装置
２００Ｌ・・・左眼シャッタ
２００Ｒ・・・右眼シャッタ
２０１・・・シャッタメガネ部
２０２・・・赤外線受光部
２０３，２０３Ｃ，２０３Ｄ・・・シャッタ駆動部
２０４・・・ユーザ操作部
【図１】
2011239164.tif 000003
【図２】
2011239164.tif 000004
【図３】
2011239164.tif 000005
【図４】
2011239164.tif 000006
【図５】
2011239164.tif 000007
【図６】
2011239164.tif 000008
【図７】
2011239164.tif 000009
【図８】
2011239164.tif 000010
【図９】
2011239164.tif 000011
【図１０】
2011239164.tif 000012
【図１１】
2011239164.tif 000013
【図１２】
2011239164.tif 000014
【図１３】
2011239164.tif 000015
【図１４】
2011239164.tif 000016
【図１５】
2011239164.tif 000017
【図１６】
2011239164.tif 000018